(57)【特許請求の範囲】
【請求項１】
ノズル出口（１２）を備えた多部品構成型圧送チャンバの形態を有し、液体が最高５０００バールの圧力、かつ、少なくとも数百バールのピーク圧力で収容される高圧チャンバであって、前記高圧チャンバの少なくとも１つの構成部品が金属からなる高圧チャンバにおいて、
前記高圧チャンバは中央部分（２３、１２３）と、ノズルホルダ（３２、１３３）または支持リング（２５、１２６）である少なくとも１つの他の構成部品とを備え、前記ノズルホルダ（１３３）、前記中央部分（１２３）または支持リング（１２６）である構成部品のうちの少なくとも１つが、金属からなる前記少なくとも１つの構成部品であって、
第２の材料領域（１２３ｂ，１２６ｂ，１３３ｂ）が、前記高圧チャンバの作動中、液体と直接的な接触状態にある前記金属構成部品の表面全体を覆っており、
前記少なくとも１つの構成部品は、前記高圧チャンバの少なくとも１つの他の構成部品に確実にロックする仕方で永続的に連結されており、前記少なくとも１つの構成部品は、前記少なくとも１つの他の構成部品の方へ曲げられた少なくとも２つのウェブ又はアームの形態を取っている連結要素（１２６ｃ、１３３ｃ、１２３ｄ）を備える、
ことを特徴とする高圧チャンバ。
【請求項２】
前記第２の材料は、前記第２の材料が耐腐食性であると共に／或いは使用のために提供される液体（２）と薬学的に適合性があるよう選択される、
請求項１に記載の高圧チャンバ。
【請求項３】
前記第２の材料は、プラスチック、特にポリプロピレン又はポリエチレンである、
請求項１又は２に記載の高圧チャンバ。
【請求項４】
前記第２の材料領域（１２３ｂ，１２６ｂ，１３３ｂ）は、その形状及びその材料の性質により、別の強度決定構成部品との接合箇所で、前記高圧チャンバの内部のためのシールを構成している、
請求項１又は２に記載の高圧チャンバ。
【請求項５】
金属からなる前記チャンバの少なくとも１つの構成部品の金属は圧着可能であり、前記圧着可能な金属は、材料が機械的成形によって強化される性質を更に有する、
請求項１に記載の高圧チャンバ。
【請求項６】
密封及び／又は濾過及び／又は液体噴霧化及び／又は調節機能を備えた別々の個々の構成部品は、付形又は圧着により前記高圧チャンバ内に納められている、
請求項５に記載の高圧チャンバ。
【請求項７】
前記少なくとも１つの金属構成部品の前記少なくとも１つの他の構成部品との連結部の性状又は前記圧着の形態は、前記連結要素（１２６ｃ，１３３ｃ，１２３ｄ）の形状によって既に決定され、
前記連結要素（１２６ｃ，１３３ｃ）は、前記少なくとも１つの他の構成部品の対応する凹部へ曲げられることにより、前記少なくとも１つの他の構成部品へ連結されている、  請求項５に記載の高圧チャンバ。
【請求項８】
圧着中に曲げられるウェブ又はアーム（１２６ｃ，１３３ｃ）は、０．８〜３．６ミリメートルの幅及び／又は１．６〜３．０ミリメートルの長さ及び１．５〜２．５ミリメートルの材料厚さを有する、
請求項７に記載の高圧チャンバ。
【請求項９】
前記高圧チャンバの内容積は、最大２５０マイクロリットルまで、好ましくは１０〜１００マイクロリットルであると共に／或いは前記高圧チャンバは、最高１２００バールまでの過剰圧力範囲向きに設計されている、
請求項１に記載の高圧チャンバ。
【請求項１０】
中央部分（２３，１２３）と、ノズルホルダ（３２，１３３）または支持リング（２５，１２６）である少なくとも１つの他の構成部品とからなる請求項１記載の高圧チャンバの製作方法であって、ノズルホルダ（１３３）、中央部分（１２３）、または支持リング（１２６）の少なくとも１つが少なくとも１つ金属構成部品である製作方法において、
少なくとも１つの金属構成部品が、別の射出成形プロセスで、第２の材料領域（１２３ｂ，１２６ｂ，１３３ｂ）を設けられ、
後の工程で、中央部分（２３，１２３）、ノズルホルダ（３２，１３３）、または支持リング（２５，１２６）が、他方の内側に挿入され、成形又は圧着によって互いに接合される、
ことを特徴とする方法。
【請求項１１】
液体調合薬（２）を噴霧化し又は注入するネブライザ（１）又はインゼクタであって、請求項１ないし９のいずれか１項に記載の高圧チャンバを有する、ネブライザ（１）又はインゼクタ。
【発明の詳細な説明】
【技術分野】
【０００１】
本発明は、複数個の独立した部品で構成され、液体によって作動される高圧チャンバに関する。
【０００２】
本発明の内容は、例えば患者の肺内への投薬又は患者の体内への注入のための液体調合薬の噴霧化において技術的医療用途向きの高圧チャンバに関する。
【背景技術】
【０００３】
純粋な液体及び溶液はもちろんのこと、「液体」という用語は、分散液、懸濁液、サスリューション（溶液と懸濁液の混合液）等を更に含む。特に、この用語は、使用中における高圧チャンバの内容物の集合状態に関する。
【０００４】
液体が患者の体に投与され又は技術的医用機器内部で運搬される多くの医療処置において、例えば輸液をセットアップする場合又は血液又は他の製薬的液体を循環させる医療処置において極めて低い圧力が用いられることが知られている。美容のための従来型小出しシステム又は医用加圧ガスアトマイザも又、一般に、７バール未満の液体圧力、極めて希には最高２０バールまでの液体圧力で動作する。高圧圧送システムは、他方において、一般に、種々の工業用途で知られているが、実際には、技術的医用機器での使用には適していない。というのは、このような高圧圧送システムは、特定の医学的有効物質との適合性がなく又はそれどころか患者に対して毒性のある物質を放出する場合のある材料で作られていることが多いからである。多くの場合、技術的医用構成部品では、これら構成部品が滅菌可能であることが必要不可欠である。課される衛生上の要件のために、医用機器の構成部品は、一般に、短い使用期間又はそれどころか１回使用向きに設計されており、従って、この技術分野においては、大量生産に対する要求が著しく高まっている。さらに、工業的圧送又はポンプ送りシステムは、機械的に複雑な性状のものである場合が多く、従って、このようなシステムを特に手持ち型医用機器のサイズまで小さくすることは困難である。
【０００５】
他方、肺疾患の治療において、携帯可能な手持ち型機器の使用が欠くことができない状態になっている。このような機器を使用すると、治療を毎日、しかも治療を提供する医師の診療所から距離を置いたところで施すことができ、この場合、患者は、常時、吸入用の本質的緊急用薬剤にアクセスすることができる。
【０００６】
液体調合薬が噴霧化されるとき、正確に計量された量の有効物質が吸入のためのエーロゾルに変換されるようになっている。エーロゾルは、小滴サイズ分布状態の小さな平均粒径を有するべきである。推進剤を用いないでノズルポンプ構造を用いてこれを達成するためには、１００〜１２００バールの圧力が関連のポンプチャンバ内に必要であり、システムの漏れ止め構造に高い要求が課される。
【０００７】
「調合薬」という用語は、本発明では、薬剤、治療薬等は言うまでもなく、吸入又は他の形態の投薬のための特にあらゆる種類の薬を意味している。しかしながら、本発明は、医療的噴霧化には限定されず、例えば以下の説明が主として、医学的用途、及び吸入のための調合薬の好ましい噴霧化に関していても、例えば測定された量の液体をインゼクタ、スプレーシステム及び他の小出しシステム並びに液体のジェットが高圧下で用いられるシステム（例えば、切断システム）において小出しする場合にあらゆる種類の液体を圧力下で小出しする種々の部門全体に利用可能である。さらに、この種の高圧チャンバ及びこれら高圧チャンバと関連した製造技術を全く異なる工業分野、例えばモータ業界に利用できる。ただし、本発明は、主として、例えば薬剤分野における医学的技術又は食品技術において問題の液体の特に清浄な取り扱いが必要不可欠である圧送状況に関する。
【０００８】
国際公開第９１／１４４６８（Ａ１）号パンフレット及び同第９７／１２６８７（Ａ１）号パンフレットは、ネブライザ又は小型高圧ネブライザを記載している。これらは、噴霧化されるべき医薬製剤のリザーバとして、内袋付きの挿入可能な硬質容器及び医薬製剤を運搬して噴霧化するための駆動ばねを備えた手動式圧力発生器を有する。この種の容器は、国際公開第９６／０６０１１（Ａ１）号パンフレット及び同第００／４９９８８（Ａ２）号パンフレットに開示されており、このような容器は、約２〜１０ｍｌの容積を有する。他方、上述のネブライザに代わるネブライザが先行技術で知られるようになっており、これは、図１に例示的に示されており、これについて以下に詳細に説明する。このネブライザでは、多部品構成型圧送チャンバが用いられる。この実質的に円筒形の圧送チャンバの強度決定構成部品は、長手方向に動くことができる仕方で案内される圧送ピストン用の案内管、リザーバ端部に設けられていて、螺着式キャップ状保持要素により固定された支持リング及び圧送チャンバの他端部に設けられていて、同様な螺着式キャップ状保持要素によって固定されたノズルホルダである。ノズルホルダによって保持された噴出ノズルのための考えられる微細構造の細部が国際公開第９４／０７６０７号パンフレット、同第９９／１６５３０号パンフレット及び同第２００５／０００４７６（Ａ１）号パンフレットに開示されている。
【０００９】
ポンプチャンバに用いられる構成部品には、材料の強度に関する特定の要件がある。多くの場合、これら構成部品は、医用技術における大量生産構成部品にとって従来のものである比較的安価なプラスチックでは構成できない。上述の保持要素は、典型的には、旋盤（レーズ）で製造される金属構成部品である。
【００１０】
米国特許出願公開第２００２／０１７６７８８号明細書は、とりわけ、壁が薄肉管から成る高圧ポンプ本体を示しており、この高圧ポンプ本体内において、強度決定構成部品は、互いにねじ止めされず、圧着密封ビードによって連結要素に接合される。密封要素を備えた出口弁が薄肉管内に挿入される。管は、弁ユニットに設けられた適当な凹部内に押し込まれて確実にロックする仕方で嵌まり込む。高圧圧送本体内において想定される高圧に達すると、対応の弁が開き、それにより液体は、ポンプ出口に連続的に流れることができる。
【先行技術文献】
【特許文献】
【００１１】
【特許文献１】国際公開第９１／１４４６８（Ａ１）号パンフレット
【特許文献２】国際公開第９７／１２６８７（Ａ１）号パンフレット
【特許文献３】国際公開第９６／０６０１１（Ａ１）号パンフレット
【特許文献４】国際公開第００／４９９８８（Ａ２）号パンフレット
【特許文献５】国際公開第９４／０７６０７号パンフレット
【特許文献６】国際公開第９９／１６５３０号パンフレット
【特許文献７】国際公開第２００５／０００４７６（Ａ１）号パンフレット
【特許文献８】米国特許出願公開第２００２／０１７６７８８号明細書
【発明の概要】
【発明が解決しようとする課題】
【００１２】
本発明が解決しようとする課題は、工業的製造に適した特に医用ネブライザ又はインゼクタシステム用の一体形出口ノズルを備えた高圧チャンバを提供することにある。この種のシステムは、計量された量の液体を短いパルスで送り出す。液体は、圧力を用いないで吸い込まれ、そして短い期間内に、液体がノズルを通って小出しされる（好ましくは、直接に）高圧チャンバ内のピーク圧力まで至る。この種のパルス化システムに関する密封要件は、連続圧送と比較して静的観点だけでなく動的観点を有し、このことは、特に高圧チャンバと出口ノズルとの間の連結技術には特定の要求が課されることを意味している。
【００１３】
高圧チャンバという用語は、本明細書において、流体が加圧され、そしてピストン又はプランジャの前進によって放出される内部が実質的に円筒形のチャンバを意味している。
【課題を解決するための手段】
【００１４】
この課題は、本発明によれば、複数個の構成部品で構成されたピストンポンプチャンバの形態をした高圧チャンバによって解決される。高圧チャンバは、入口弁及び出口ノズルを有する。高圧チャンバ内において、液体は、加圧され、軸方向に動くことができるピストンによって出口ノズルを通って放出される。少なくとも１つの構成部品は、変形可能であると共に／或いは圧着及び／又はフランジ止め及び／又は押し潰し可能な金属構成部品から成る。この少なくとも１つの構成部品は、確実ロック、摩擦ロックにより解除できないようにチャンバの少なくとも１つの他の構成部品に連結される。有利な他の特徴については以下に図面を参照して詳細に説明する。
【００１５】
本発明の一特徴は、例えば以下に説明する特定の製造プロセスを用いて強度決定構成部品の幾何学的形状を作って幾つかの構成部品がこれら構成部品を他の構成部品に接合する要素を有するようにすることである。これら連結要素は、好ましくは、アーム、ストリップ、ジグザグリング（例えば王冠コルクのジグザグリング）として具体化され又は他の形態に具体化されるのが良い。連結要素は、２つの構成部品を互いに確実にロックしたときに変形し又は曲げられ、好ましくは圧着される。好ましくは、延性があり且つ種々の幾何学的形状において変形範囲内で十分に変形可能である構成部品について圧着可能な材料が選択される。好ましい材料は、機械的変形後に変形範囲内で固まる材料である。構成部品を圧着により互いに接合することにより、これら構成部品を例えばねじ連結と比較して迅速に組み立てることができる。さらに、圧着継手は、これらの位置公差の面でねじ連結よりも破損の恐れが少ない。圧着継手は、非常に頑丈であり且つ最高５０００バールまでの内圧を受けることができる。高圧チャンバの強度決定構成部品は、好ましくは、圧着によって組み立てプロセスの終わりに互いに接合される。これにより、システムの全ての機能構成部品、例えば密封要素、フィルタ要素及びノズルが収納されたコンポーネントユニットが得られる。本明細書において説明する高圧チャンバは、その構成が非常にコンパクトなので手持ち型医用機器への組み込みに極めて適している。
【００１６】
本発明のもう１つの特徴は、金属射出成形法（ＭＩＭ技術）により作られた構成部品が高圧チャンバ内において強度決定構成部品として用いられるということにある。略語であるＭＩＭは、金属射出成形（metal injection moulding）を表している。ＭＩＭプロセスは、金属粉末（公知の粉末状金属及び合金どれでも用いることができる）を射出成形プロセスにおいて結合材、例えばポリオレフィンと共に成形して所望の構成部品を作り、次に、多くのプロセスステップにおいて互いに異なる温度で処理する金属射出成形プロセスである。まず最初に、結合材を構成部品から除去し、次に、この構成部品を焼結によって硬化させる。一般に、ＭＩＭプロセスでは、粒径が３０ミクロン未満であり、メイジアン粒径分布が６〜７ミクロンである金属粉末が用いられる。この方法は、構成部品を経済的規模で大量生産により作るよう使用できる。これら構成部品は、任意の別の機械加工を用いないで、例えば旋盤で使用できる。焼結金属構成部品の幾何学的形状は、従来製造された金属構成部品と比較して多種多様であって良く、焼結金属構成部品の幾何学的形状は、例えば回転対称の形状には限定されない。更に、開始粉末の適当な選択によって、特に、構成部品について耐腐食性材料を用いることが可能であり、システムの頑丈さが増す。
【００１７】
本発明の別の特徴では、プラスチック要素又はプラスチック被膜が高圧チャンバの強度決定構成部品に直接被着される（好ましくは、再成形又は接合前に）。これは、例えばプラスチック射出成形プロセス又はコーティングプロセス（プラスチック射出成形プロセスでは、別のプロセスインサートは、プラスチックによる表面被覆度とは無関係に、しかしながら、用語の用い方において他のコーティングプロセスを含むために「射出被覆部品」と呼ばれており、「ベース部材」という用語がこの場合用いられる）においてインサートとして焼結金属製の構成部品を用いる製造プロセスの組み合わせによって達成できる。同様に、他の製造又は構造化プロセスからの金属構成部品を用いることができる。このように、性能及び機能の互いに異なる要件を単一構成部品で満たすことができるので有利である。
【００１８】
射出被覆金属構成部品又はベース部材は、高圧用途に必要な剛性を備えている。位置及び液体との接触並びに材料の選択に応じて、プラスチックによる被覆又はプラスチック要素の取り付けによって、弾性密封要素並びに構成部品の薬学的適合性及び耐腐食性を達成することができる。好ましくは、液体と直接的な接触状態にある構成部品の表面全て、即ち、特に、高圧チャンバ内の表面は、例えばポリプロピレンで被覆される。これにより、敏感な有効物質の場合、構成部品と有効物質との適合性が実現される。ポリプロピレンに代えて、所望の効果に応じて、サーモプラスト（thermoplast）、デューロプラスト（duroplast）又はエラストマーの中から選択された複数の標準市販プラスチックで要素をコーティングし又は金属構成部品を射出コーティングことが可能である。
【００１９】
焼結金属構成部品がパルス作動式高圧チャンバの構成部品として用いられる場合、焼結金属構成部品の内部をプラスチックで内張りすることにより、射出成形プロセスのための金属粉末の選択に応じて、焼結構成部品中に残存する開いた細孔が密封され、表面が滑らかにされるという別の利点が得られる。このように、粗い粉末であっても、高圧チャンバの内容積部及びそれゆえに焼結金属の表面中の細孔による死空間の増大を回避することが可能である。圧送システム中の死空間が少なければ少ないほどシステムの始動段階がそれだけ一層短くなる（ネブライザの説明において、この始動段階を以下「プライミング」という）と共にパルス化システムにおける液体の計量が一層正確になる。
【００２０】
本発明の個々の特徴は、主として、互いに無関係に使用できると共に／或いは所望に応じて実質的に互いに組み合わせ可能である。
【００２１】
以下の説明において、添付の図面を参照して本発明の別の特徴及び性質を詳細に説明する。
【図面の簡単な説明】
【００２２】
【図１】非張力状態にある公知のネブライザの概略断面図である。
【図２】図１と比較して９０°回転させた張力状態にある図１のネブライザの概略断面図である。
【図３】ネブライザに用いられる本発明の高圧チャンバの概略断面図である。
【図４ａ】第２の材料領域の取り付け前且つ組み立て前における図３の高圧チャンバの構成部品（ノズルホルダ）のベース部材を示す図である。
【図４ｂ】図４ａの同一のベース部材の別の斜視図である。
【図５】高圧チャンバへの取り付け前の取り付け状態の第２の材料ゾーンを含む図４の完成状態の構成部品を示す図である。
【発明を実施するための形態】
【００２３】
図１及び図２は、圧力チャンバ（１１）に代えて提案対象の高圧チャンバを用いることができる液体（２）を噴霧化する公知の手動操作式ネブライザ（１）の略図である。図１及び図２のネブライザは、各作動サイクルで所与の投与分の液体を小出しする計量型ネブライザである。ネブライザの作動中、圧力チャンバ（１１）内の計量空間が満たされていない非張力状態（１）と圧力チャンバ（１１）が満たされた張力状態（図２）の区別がなされる。圧力チャンバ（１１）は、その機能が圧送又はポンプ用送りチャンバに一致している。
【００２４】
この圧力チャンバの強度決定構成部品は、内部が実質的に円筒形であり、中実プラスチック、例えば好ましくはＰＥＥＫで作られた中央部分（２３）、止めナット（２６）によって上流側の方向でこの中央部分（２３）にねじ止めされた支持リング（２５）及び止めナット（３３）によって下流側で中央部分（２３）にねじ止めされたノズルホルダ（３２）である。組み立て状態におけるこれら強度決定構成部品は、多数の機能構成部品、種々のシール、フィルタ及びノズルを含み、以下、これらについて説明する。
【００２５】
図１及び図２は、容器（３）が液体（２）を収容した状態のネブライザ（１）を示している。ネブライザ（１）は、携帯可能な手持ち式器具として具体化され、ネブライザは、推進ガスなしで動作する。好ましくは、ネブライザ（１）は、液体調合薬の吸入のための医用ネブライザとして使用できる。
【００２６】
液体（２）を噴霧化したとき、エーロゾル（１４）が形成され（図１）、このエーロゾルは、医用ネブライザの場合、好ましくは肺向きであり、ユーザ（図示せず）により１日に数回吸引され、オプションとして吸入される。
【００２７】
ネブライザ（１）を開いた後、液体（２）の入っている容器（３）をネブライザ（１）内に下から挿入するのが良く又は交換品として収納されるのが良い。容器（３）は、噴霧化されるべき液体（２）のためのリザーバを形成する。好ましくは、容器（３）は、最高２００回の噴霧化又は塗布が可能であるよう数回投与分の液体（２）、例えば最高２００回の投与ユニット（投与分）に十分な液体（２）を収容している。ネブライザ（１）は、各場合において、所定の、オプションとして調節可能な投与量で液体（２）を運搬すると共に噴霧化する運搬器具、特に圧力発生器（５）を更に有している。
【００２８】
ネブライザ（１）は、特に容器（３）のためのホルダ（６）、好ましくは手動で操作して解除できる関連のロック要素（８）を備えた関連の駆動ばね（７）（一部しか示さず）、弁、特に逆止弁（１０）を備えた毛管として具体化されている中空ピストン（９）、圧力チャンバ（１１）及び特にマウスピース（１３）の付近に設けられた噴出ノズル（１２）を有している。逆止弁（１０）は、好ましくは、中空ピストン（９）に設けられた対応関係をなす端凹部内で軸方向に制限された仕方で動くことができる弁体を有する。特に、弁体は、側部及び／又は端部（圧力チャンバ（１１）の）に凹部、溝等を備えており、その結果、逆止弁（１０）を開くと、逆止弁（１０）が開いた状態で圧力チャンバに向かう弁体が中空ピストン（９）の軸方向当接部に当接した場合であっても、液体（２）は、弁体周りにこれに沿って流れることができるようになっている。
【００２９】
容器（３）は、ホルダ（６）により、特に圧締め又はラッチ止め作用により、ネブライザ（１）内に固定されていて、中空ピストン（９）の下端部が、容器（３）中に浸漬するようになっている。ホルダ（６）は、容器（３）を交換することができるよう構成されたものであるのが良い。
【００３０】
駆動ばね（７）を軸方向に引っ張ると、ホルダ（６）が容器（３）及び中空ピストン（９）と一緒に下方に移動し、液体（２）が容器（３）から吸い出され、逆止弁（１０）を通過して圧力発生器（５）の圧力チャンバ（１１）内に吸い込まれる。
【００３１】
ロック要素（８）の作動後における次の弛緩の際、圧力チャンバ（１１）内の液体の投与分は、駆動ばね（７）の解除により、逆止弁（１０）が今や閉鎖状態にある状態で中空ピストン（９）が上方に戻されて加圧され、その結果、この中空ピストン（９）は、加圧ラムとして働くようになる。この圧力により、圧力チャンバ（１１）内の液体が送り出しノズル（１２）中に放出され、その間、このような液体は、図１に示されているように好ましくは肺行きのエーロゾル（１４）の状態に噴霧化される。代表的には、数百バール、幾つかの場合においては最高１２００バールの圧力ピークがシステム中に生じる。圧力チャンバの横断面積及び圧力ピストンの移動距離は、放出ノズルを通って噴霧化される液体の量を定める。高圧チャンバの内容積は、好ましくは、圧力ラムにより押し退けられる容積よりもほんの僅かに大きい。好ましくは、最大２５０マイクロリットルまでの内容積、特に、１０〜１００マイクロリットルの容積を有する高圧チャンバが用いられる。
【００３２】
ユーザ又は患者（図示せず）は、エーロゾル（１４）を吸入することができ、その間、好ましくは供給空気（給気）が少なくとも１つの給気開口部（１５）を通ってマウスピース（１３）内に吸い込まれる。
【００３３】
噴霧化プロセス中、容器（３）は、駆動ばね（７）によってその元の位置に戻される。容器（３）は、引張り操作プロセス中及び噴霧化プロセス中、持ち上げ運動を行う。
【００３４】
ネブライザ（１）は、特に、上側ハウジング部品（１６）及びこの上側ハウジング部品に対して回転可能な内側ハウジング部品（１７）（図２）を有し、手動操作可能又は回転可能な下側ハウジング部品（１８）が、好ましくは保持要素（１９）によって上側ハウジング部品（１７）に解除自在に取り付けられ、特にこれに嵌着又は装着されている。容器（３）を挿入すると共に／或いは交換するために、下側ハウジング部分（１８）をネブライザ１から取り外すことができ、その結果、容器を内側ハウジング部品（１７）内に軸方向に押し込むことができるようになる。下側ハウジング部品（１８）は好ましくは、カップ状であり、容器（３）の下方自由端部周りに係合し又はこれに嵌まっている。
【００３５】
下側ハウジング部品（１８）を上側ハウジング部品（１６）に対して回転させることができ、それにより、内側部品（１７）も又回転する。このように、駆動ばね（７）は、ホルダ（６）に作用する歯車（図示せず）によって軸方向に引っ張られる。引張り操作中、容器（３）は、容器（３）が図２に示す端位置を占めるまで軸方向下方に動かされ、その端部が下側ハウジング部品（１８）中に又はその端面まで一段と入り込む。この状態では、駆動ばね（７）は、張力下にある。
【００３６】
引張り操作がまず最初に起こると、容器（３）は、好ましくは、そのベースが穿通され、それにより通気される。下側ハウジング部品（１８）内に配置された軸方向に作用するばね（２０）が容器ベース（２１）に当接するようになり、他方、ばね（２０）に取り付けられた穿通要素（２２）は、容器（３）又は接触がまず最初に行われたときにベースに設けられているシールを穿通する。これは、容器（３）の外側シェルだけを開き、液体（２）の入っている内袋（４）は、容器（４）を内側ハウジング部品（１７）内に挿入し、次に容器の頂部の隔膜を貫通して袋の内部に挿入されたときに中空ピストン（９）が容器（３）の頂部のシールを穿通することによって開かれる。このように、容器（３）内の袋（４）は、中空ピストン（９）を介して圧力チャンバ（１１）に流体結合される。最初の使用前であって袋（４）の流体学的取り付け後に、ネブライザ（１）に数回、張力をかけて解除する。このプロセスは、「プライミング」と呼ばれ、このような操作により、中空ピストン（９）及び放出ノズル（１２）までの圧力発生器（５）内に存在する空気は、液体によって押し退けられ、ネブライザ（１）は、意図した仕方でいつでも使用できる状態にある。次に、液体が袋（４）から中空ピストン（９）を通って取り出されると、柔軟性の袋（４）は、潰れる。容器（３）内の圧力を等しくするため、周囲空気が通気開口部を通って容器（３）内に流れることができ、その結果、液体（２）を運搬しているとき、同一の圧力条件が常時存在するようになる。
【００３７】
圧力発生器（５）は、圧力チャンバ（１１）を形成する長手方向ボアを備えた管状中央部分（２３）を有している。中空ピストン（９）は、圧力チャンバ（１１）内に突き出ている。中空ピストンは、中央部分（２３）の容器側端部に設けられた対応の凹部内に位置した支持リング（２５）及び止めナット（２６）によって保持されたシール（２４）で密封されている。組み立て状態では、中空ピストン（９）は、シール（２４）を通って延び、それにより外部又は半径方向に密封される。
【００３８】
放出ノズル（１２）は、中央部分（２３）の出口端部に設けられている。放出ノズル（１２）と圧力チャンバ（１１）との間には、好ましくは予備フィルタ（２７）が設けられ、この予備フィルタは、好ましくは、液体（２）と化学的に適合性のあるプラスチック、例えばポリエチレン又はポリプロピレンで作られる。
【００３９】
予備フィルタ（２７）は、放出ノズル（１２）又は下流側に設けられた微細フィルタを閉塞し又は変形させる場合のある粒子を引き止める。フィルタしきい値は、好ましくは、約１０ミクロンである。これよりも大きな粒子は、流通している液体（２）から予備フィルタ（２７）によって引き止められる。
【００４０】
図１及び図２では、予備フィルタ（２７）は、例えば加圧によって圧力チャンバ（１１）の出口端部に直接設けられたフィルタホルダ（２８）によって保持され、フィルタホルダ（２８）は、シール（２９）、特にＯリングによって中央部分（２３）から密封される。しかしながら、例えば別の実施形態（以下の図３も又参照されたい）に示されているように、他の設計上の解決策も又、採用可能である。
【００４１】
好ましくは、超微細フィルタ及び放出ノズル（１２）が予備フィルタ（２７）又はフィルタホルダ（２８）のすぐ後に配置されている。噴霧化前に予備フィルタ（２７）及び超微細フィルタを通る液体の２段濾過が特に好ましい。特に、超微細フィルタ及び放出ノズル（１２）は、単一の構成部品を形成している。超微細フィルタを用いて、放出ノズル（１２）の非常に細い出口チャネルを閉塞し又は詰まらせる場合のある粒子を濾過して除去する。フィルタしきい値は、特に、２〜５ミクロンである。
【００４２】
放出ノズル（１２）は、好ましくは、ノズルシール（３０）によって受け入れられると共に半径方向に保持される。ノズルホルダ（３２）が出口側に取り付けられている。止めナット（３３）は、中央部分（２３）に取り付け可能に設けられている。ノズルホルダ（３２）は、放出ノズル（１２）及びノズルシール（３０）を保持している。
【００４３】
放出ノズル（１２）は、ガラス及び／又はシリコーンで作られた互いに固定的に取り付けられた２つの部品、即ち、プレート（１２ａ），（１２ｂ）で構成されている。一方のプレートは、微細構造化され、このプレートは、平坦な側部に、ノズル入口をノズル出口に結合する流れ領域を有する。２枚のプレート（１２ａ），（１２ｂ）は、好ましくは、結合によって互いにしっかりと接合されている。ノズル入口が上流側に位置し、ノズル出口が下流側に位置した流れ領域は、２枚のプレート相互間に包囲されている。プレート相互間に位置した微細構造体は、流れ領域中に流れ方向に超微細フィルタ構造体を形成し、次に、ノズル出口を備えたノズルチャネルを形成している。この超微細フィルタ構造体は、例えば、壁を貫通して形成された細いチャネル及び／又は指定された表面密度を有する隆起部によって形成されている。圧力チャンバ（１１）に隣接して位置する放出ノズル（１２）への流体結合部の容積及び放出ノズル（１２）の容積それ自体は、死空間を小さくするために可能な限り小さい。放出ノズル（１２）を通る流れ抵抗は、実質的に、張力操作ストローク中、中空ピストンを通って圧力チャンバ（１１）内に流れる液体（２）の流れ抵抗よりも高く、その結果、ネブライザは、ノズル領域中の出口側部に弁なしで動作するようになっている。
【００４４】
ネブライザは、５０〜６００バール、好ましくは１００〜５００バールのばね圧力で動作する。ネブライザの各作動時、１０〜５０マイクロリットルの量の液体が送り出される。液体は、エーロゾルに変換され、エーロゾルの液滴は、最大２０ミクロンまで、好ましくは３〜１０ミクロンの空気力学的径を有する。関連ノズルは、２０°から１６０°、好ましくは８０°から１００°のノズルスプレー広がりを生じさせる。これらの大きさは、特に好ましい値として本発明の教示に従ってネブライザに当て嵌まる。
【００４５】
図３は、一例として、例えば図１及び図２のネブライザで利用できる種類の本発明の高圧チャンバ（１００）の断面図である。
【００４６】
高圧チャンバ（１００）の強度決定構成部品は、内側が実質的に円筒形の中央部分（１２３）及びこの中央部分の両端部を閉鎖する構成部品、即ち、ノズルホルダ（１３３）及び支持リング（１２６）である。組み立て状態では、これら構成部品は、システム内で別の構成部品、例えばシール、フィルタ及びノズルを収納することができる。
【００４７】
図３に特定の実施形態として示されている中央部分（１２３）は、内部が実質的に円筒形断面の金属製ベース部材（１２３ａ）及びこれに連結された強度決定構成部品、即ち支持リング（１２６）及びノズルホルダ（１３３）の形状に合った外側形状を有する。これら連結領域は、上昇構造体と下降構造体の両方、例えば、ウェブ、突出部、ビード、穴又は溝状窪み又はスロット状凹部を有するのが良い。図３に示されている実施形態では、中央部分（１２３）の長手方向に平行に延びる長方形のスリット又はスロット状凹部が設けられ、構成部品（１２６），（１３３）に設けられた連結要素が確実ロックによりこの凹部に嵌まり込む。２つ又は３つ以上の構成部品の連結要素は、この種の単一の凹部内に嵌まり込むのが良い。図３では、いずれの場合においても、支持リング（１２６）の連結要素（１２６ｃ）は、ノズルホルダ（１３３）の連結要素（１３３ｃ）と同一の凹部内に嵌まり込む。しかしながら、特に連結箇所の形状、連結要素が各連結箇所で互いに係合する数及び連結箇所で連結要素によって互いに係合する構成部品の数に関し、他の設計上の解決策も又、採用可能である。例えば、いずれの場合においても、連結要素は、１つしか設けられなくても良く、或いは、変形例として、２つ又は３つ以上の連結要素が連結箇所に取り付けられても良い。１つ又は２つ以上の他の構成部品を一構成部品に取り付けても良い。
【００４８】
高圧チャンバ（１００）の強度決定構成部品を備えた連結要素に加えて、他の連結要素を成形により中央部分（１２３）の外側に又は構成部品（１２６）又は（１３３）に直接取り付けることができ、その目的は、高圧チャンバ（１００）全体を全体的システム、例えばネブライザ内に取り付けることにある。特に好ましくは、これら追加の連結要素は、他の構成部品にばねラッチ止め又はスナップ嵌め連結を生じさせるばねアーム（１２３ｄ）であるのが良い。
【００４９】
中央部分（１２３）は、金属製ベース部材（１２３ａ）に固定的に連結された領域（１２３ｂ）を更に有するのが良く、この領域は、異なる材料、例えばプラスチックから成るのが良い。この第２の材料領域（１２３ｂ）は、システム全体を通じて動作中、液体と接触状態にある表面全てを覆うのが良い。好ましくは、液体の材料腐食及び変化が生じないよう、例えば有効物質の分解が生じないようにするために用いられる液体と化学的に適合性のあるプラスチック材料が用いられる。適当なプラスチックとしては、例えば、ポリエチレン又はポリプロピレンが挙げられる。このようなプラスチックは又、例えば、以下に説明する液体側端部の第２の材料領域に使用することができ、これら第２の材料領域は、他の構成部品、例えば支持リング（１２６）及びノズルホルダ（１３３）に設けられる。
【００５０】
第２の材料領域、例えば（１２３ｂ）は、被膜であるのが良く、この被膜の表面は、下に位置するベース部材、例えば（１２３ａ）の表面に実質的に平行に延びる。更に、第２の材料領域は、例えば射出成形、糊付け、結合、スナップ嵌め又は同様な取り付け方法によってベース部材、例えば（１２３ａ）に取り付けられるのが良い。特に、上述した結合方法を用いて、第２の材料領域は、ベース部材の形状とは異なる形状を有するのが良い。図３は、好ましくは射出成形によりベース部材（１２３ａ）に取り付けられた第２の材料領域（１２３ｂ）が個々の構造体と共に中央部分（１２３）の内側領域全体にわたって延びる中央部分（１２３）を示している。
【００５１】
第２の材料領域（１２３ｂ）は、高圧チャンバ（１００）の強度を決定する構成部品、即ち、中央部分（１２３）、支持リング（１２６）及びノズルホルダ（１３３）が組み立てられるときに設けられるのが良い他の構成部品のための支持面としての役目を果たす。第２の材料領域（１２３ｂ）の構造は、別個のフィルタ、例えば予備フィルタ（２７）及び別の微細フィルタ（３１）の取り付け位置を定める。これらフィルタは、部分的に円錐形の形状の中への圧力嵌めによって中央部分（１２３）の上流側端部から第２の材料領域（１２３ｂ）の内側構造体に設けられた環状カラー又は当接部に当てて押し込められるのが良い。この種の構成では、別の構成部品がフィルタホルダとして又はフィルタの領域内のシールとして働く必要はない。微細フィルタ（３１）のフィルタしきい値は、これが予備フィルタ（２７）のしきい値と放出ノズル（１２）内に一体化された超微細フィルタのしきい値の間に位置するよう選択される。フィルタの取り付け方、フィルタの形式、フィルタの数及びフィルタのシーケンスに関する他の設計が可能である。領域（１２３ｂ）の構造体は、液体とベース部材（１２３ａ）との接触を阻止する。他の構成部品とのシールは、ベース部材（１２３ａ）とシールとの直接的な接触が生じないよう領域（１２３ｂ）に当接するのが良い。シール（２４）、例えばＯリングは、中央部分（１２３）及び支持リング（１２６）を中空ピストン（９）から密封する。シール（２４）は、領域（１２３ｂ）に設けられた凹部内に設けられる。領域（１２３ｂ）は、包囲している連結リング（１２３ｃ）と共に中央部分（１２３）から見て下流側に突き出ていて、ノズルシール（１２）のための支持面を形成している。
【００５２】
図３に示されている支持リング（１２６）は、シール（２４）及び圧力発生器（５）と一緒になって、高圧チャンバ（１００）の上流側境界部を形成している。中央部分（１２３）と同様、支持リング（１２６）は、互いに同様にしっかりと取り付けられた互いに異なる材料領域、即ち、強度決定ベース部材（１２６ａ）及びこれに直接取り付けられていて、液体と化学的適合性のある第２の材料領域（１２６ｂ）で構成されるのが良い。中央部分（１２３）の場合と同様、支持リング（１２６）の形状は、少なくとも１つの他の構成部品、この場合、中央部分（１２３）への取り付け方を定め、支持リング（１２６）は、その強度を定めるそのベース部材（１２６ａ）内に、連結要素（１２６ｃ）を有し、これら連結要素（１２６ｃ）は、取り付けられるべき構成部品の方向に突き出ていて、二次成形プロセスにより中央部分（１２３）に設けられた対応の連結要素に確実ロック方式で連結されている。突き出た連結要素は、種々の形態を取ることができ、即ち、種々の厚さ、幅及び長さの種々の数のウェブであって、フランジのように折り重ね可能な包囲カラー又は管状突出部を備えたウェブ又は王冠コルク圧着のように嵌合関係をなす輪郭形状に内方に又は外方に当接することができるジグザグリングであって良い。連結要素（１２６ｃ）は、好ましくは、支持リング（１２６）の周囲全体にわたって一様に群をなして（即ち、２つ、好ましくは４つ又は５つ以上）分布して配置されるのが良い。下流側に向いたこれらストリップ又はアームは、付形プロセス、例えば圧着により中央部分（１２３）に設けられている対応の凹部内に内方に曲げられて２つの構成部品、即ち支持リング（１２６）と中央部分（１２３）との間に堅牢な確実ロック連結部を形成する。圧着連結形状及び区リンプアームの寸法形状は、ベース部材（１２３ａ）に用いられる材料及びシステム内で耐えるべき圧力で決まる。適当な形状及び圧着のための適当な材料の場合、互いに接合された構成部品は、５０００バールの内圧に耐えることができる。構成部品の縁部にわたって一様に分布して設けられた４本の突出直方体アームの形態をした連結要素（１２６ｃ）が特に好ましく、その幅は、０．８〜１．８ｍｍであり、その長さは、１．６〜３．０ｍｍであり、その材料厚さは、１．５〜２．５ｍｍである。アームの本数を変更する場合、特にこれらの幅を適合させなければならず、アームが２本しかない場合、１．６〜３．６ｍｍの幅が好ましい。
【００５３】
動作原理の面で同等であるが、図面には示されていない突出連結要素が中央部分（１２３）に設けられ、これら突出連結要素は、他の強度決定構成部品（（１２６）又は（１３３））の少なくとも１つに設けられた対応の凹部内に確実に嵌り込むよう形作られる。
【００５４】
中央部分（１２３）の第２の材料領域（１２３ｂ）と同様、支持リング（１２６）の第２の材料領域（１２６ｂ）は、一方において、被膜であるのが良く、その表面は、下に位置するベース部材（１２３ａ）の表面に実質的に平行に延びる。他方、第２の材料領域（１２６ｂ）は、吹き付け、糊付け、結合、スナップ嵌め又は類似の取り付け方法によってベース部材（１２６ａ）に取り付けられるのが良く、このような第２の材料領域は、外部がベース部材とは異なる適当な形状を有するのが良い。図３は、外部がベース部材とは異なる構造を備えていて、ベース部材（１２６ａ）に吹き付けられた第２の材料領域（１２６ｂ）が中央中空ピストン（９）の方へ差し向けられた支持リング（１２６）の領域全体にわたって延びている支持リング（１２６）を示している。その結果、一方において、中央部分（１２３）の場合と同様、液体（２）と金属製ベース部材（１２６ａ）との直接的な接触が全て阻止される。他方、逆止弁（１０）がポンプ側端部に取り付けられた金属製中空ピストン（９）は、硬質ベース部材（１２６ａ）にいつも、即ち、組み立て中でなくても、接触することができない。これにより、組み立ての際の損傷が阻止される。さらに、第２の材料領域（１２６ｂ）は、挿入勾配を備えるのが良いと共に／或いは中空ピストンの取り付けを助ける特定の滑り特徴部を有するのが良い。
【００５５】
第２の材料領域（１２６ｂ）は、高圧チャンバ（１００）のシール（２４）のための接触面でもある。シール（２４）は、中央部分（１２３）及び支持リング（１２６）である構成部品の組み立ての際、システム内に納められる。第２の材料領域（１２６ｂ）は、シール（２４）のための受け入れソケットを形成するよう中央部分（１２３）内に突き出ている。シール（２４）は、ベース部材（１２６ａ）には直接的には接触しない。高圧チャンバ（１００）内で密封部材を通過した液体は、ベース部材（１２６ａ）の材料に接触することはない。
【００５６】
必要ならば、フィルタ（（２７）及び（３１））又はシール（２４）に加えて、他の構成部品、例えば中央ボアを備えた平べったい座金の形態をしたスペーサ（３６）を中央部分（１２３）と支持リング（１２６）の組立体によって収納されるのが良い。スペーサ（３６）の厚さにより、中央部分（１２３）中への支持リング（１２６ｂ）の第２の材料領域の進入深さを変化させることができる。シール（２４）の圧縮度及びプレテンショニング度を調節することができる。
図示されていない高圧チャンバの別の実施形態では、密封要素、例えばシール（２４）又は（２９）又はノズルシール（３０）の１つの密封機能を中央部分（１２３）、支持リング（１２６）又はノズルホルダ（１３３）を含む強度決定構成部品の１つに設けられている第２の材料領域によって受け持つことができる。第２の材料領域は、標準型の市販エラストマー、例えばシリコーンから成るのが良く、このような第２の材料領域を中央部分（１２３）及び支持リング（１２６）を参照して上述した材料複合体と同様、それぞれのベース部材に連結するのが良い。図示されていない高圧チャンバの別の実施形態では、強度決定構成部品の数を３つから２つに減少させるのが良い。このために、中央部分（１２３）は、単一の構成部品を形成するよう支持リング（１２６）かノズルホルダ（１３３）かのいずれかと組み合わされるのが良い。これは、シールを射出成形によって取り付けることによって行われるのが良い。シール（２４）の機能は、中央部分の例えばエラストマーから成る第２の材料領域（１２３ｂ）によって受け持たれる場合、図３において支持リング（１２６）によって形成されたこのシールのカウンタホルダは、もはや不用である。
【００５７】
図３に示されたノズルホルダ（１３３）は、ノズルシール（３０）及び放出ノズル（１２）と一緒になって、高圧チャンバ（１００）の下流側境界部を形成している。中央部分（１２３）及び支持リング（１２６）と同様、ノズルホルダ（１３３）は、２つの材料領域、即ち、強度決定ベース部材（１３３ａ）及びこれに直接取り付けられていて、液体（２）と化学的適合性のある第２の材料領域（１３３ｂ）を有するのが良い。中央部分（１２３）及び支持リング（１２６）の場合と同様、中央部分（１２３）への取り付け方は、ノズルホルダ（１３３）の形状によって決定され、即ち、ノズルホルダ（１３３）は、ベース部材（１３３ａ）に取り付けられていて、取り付けられるべき構成部品の方向に突き出ている連結要素（１３３ｃ）を有し、これら連結要素は、中央部分（１２３）に網けちれた対応の形状に成形により確実ロック方式で連結されている。突き出た連結要素は、種々の幾何学的形状を取ることができ、即ち、種々の厚さ、幅及び長さの種々の数のウェブであって、フランジのように折り重ね可能な包囲カラー又は管状突出部を備えたウェブ又は王冠コルク圧着のように嵌合関係をなす輪郭形状に内方に当接することができるジグザグリングであって良い。連結要素（１３３ｃ）は、上流側に向くと共にノズルホルダ（１３３）の周囲全体にわたって一様に分布して配置された複数（少なくとも２つ、好ましくは４つ又は５つ以上）のウェブ又はアームであるのが良い。付形中、例えば圧着プロセス中、連結要素は、中央部分（１２３）の対応の凹部内に押し込められる。これにより、２つの構成部品相互間に確実ロックの且つ堅牢な連結部が得られる。連結要素（１３３ｃ）の設計は、支持リング（１２６）に施された設計に対応しており、構成部品の縁部にわたって一様に分布して設けられた４本の突出直方体アームの形態をした連結要素（１２６ｃ）が特に好ましく、その幅は、０．８〜１．８ｍｍであり、その長さは、１．６〜３．０ｍｍであり、その材料厚さは、１．５〜２．５ｍｍである。アームの本数を変更する場合、特にこれらの幅を適合させなければならず、アームが２本しかない場合、１．６〜３．６ｍｍの幅が好ましい。
【００５８】
ノズルホルダ（１３３）の第２の材料領域（１３３ｂ）は、中央部分（１２３）の第２の材料領域（１２３ｂ）及び一方において、被膜の形態をした支持リング（１２６）の第２の材料領域（１２６ｂ）と同様に設計されるのが良く、第２の材料領域（１３３ｂ）の表面は、下に位置するベース部材（１３３ａ）の表面に実質的に平行に延びる。他方、第２の材料領域は、射出成形、糊付け、結合、スナップ嵌め又は他の方法によってベース部材（１３３ａ）に取り付けられるのが良い。
【００５９】
金属射出成形プロセスの使用が高圧チャンバ（１００）の強度決定構成部品、即ち、ノズルホルダ（１３３）、中央部分（１２３）及び支持リング（１２６）のベース部材の製造にとって好ましい。
【００６０】
図４及び図５は、図３の高圧チャンバ（１００）内に挿入可能なノズルホルダ（１３３）は、種々の製造段階で示しており、ＭＩＭプロセスにより製作されたベース部材（１３３ａ）は、２つの斜視図で図４ａ及び図４ｂに示されている。ベース部材（１３３ａ）の形状は、次のプロセス及び組み立てステップ、即ち、第２の材料領域の射出成形、他の構成部品への取り付け及び圧着プロセスによる固定に合わせられている。
【００６１】
プラスチックの第２の材料領域を射出成形するため、フローチャネル（１３３ｄ）がベース部材（１３３ａ）中に設けられる。ベース部材（１３３ａ）は、射出成形器械のモールド内にインサートとして配置される。液化射出成形組成物を被覆されるべきベース部材の領域全体にわたりフローチャネルを通って一様に配分される。貫通ボア（３４）の軸線に平行に延びるフローチャネル（１３３ｄ）により、材料をベース部材（１３３ａ）の互いの反対側の表面に同時に射出することができる。組み立て後、貫通ボア（３４）は、放出ノズル（１２）の出口開口部を露出させる。第２の材料領域（１３３ｂ）は液体（２）と金属製ベース部材（１３３ａ）が互いに接触しないよう構成されている。これは、高圧チャンバ（１００）内に入っている液体（２）に関するだけでなく、ノズルから出るエーロゾル（４）にも関連する場合があり、エーロゾルのミストは、ノズルホルダ（１３３）の上方領域を湿潤させる可能性がある。
【００６２】
当業者に知られている金属及びプラスチック射出成形技術の可能性を利用して、図示されていない他の実施形態が可能であり、このような実施形態では、エーロゾル端部のノズルホルダ（１３３）の表面は、上方に且つホルダの側部に開口する他のチャネルによって貫通ボア（３４）に結合されるのが良い。患者が吸息したときにサイドストリーム空気が給気開口部（１５）を通ってマウスピース（１３）の内部に吸い込まれたとき、このサイドストリーム空気を新たなチャネルを通ってエーロゾル（１４）の元の箇所に至らせるのが良く、このような元の箇所において、サイドストリーム空気は、包囲流れとして働く。このように、エーロゾルミストの位置合わせを一段と助けることができ、ノズルホルダ（１３３）上又はマウスピース（１３）内へのエーロゾル粒子の沈積を減少させることができる。
【００６３】
所望ならば、ノズルホルダ（１３３）の配向組立体を中央部分（１２３）への取り付けの際、ノズルホルダに設けられた位置決め補助手段（１３３ｅ）によって設けることができる。ノズルホルダ（１３３ｅ）に設けられたこの位置決め補助手段は、取り付け箇所に設けられた輪郭形状を用いた任意所望の形状で形成できる。ただし、これが取り付けられるべき構成部品の対応の輪郭形状に対してネガであることを条件とする。配向なしの取り付けが望ましい場合、取り付け箇所の輪郭形状は、例えば、対応の圧着部が嵌まり込む方位溝の形態をしているのが良い。
【００６４】
更に、ベース部材（１３３ａ）及びそれゆえにノズルホルダ（１３３）の外面は、以下のプロセスステップのための把持面及び挿入勾配を有するのが良い。この種の把持面は、ベース部材（１３３ａ）の包囲旋条の形態で図４及び図５に示されている。図４ａ及び図４ｂでは、連結要素（１３３ｃ）は、４つのクリンプ又は圧着アームの形態で示されている。これら真っ直ぐな圧着アームは、次の取り付けプロセスで内方に曲げられ、これに取り付けられている中央部分（１２３）に設けられた対応の凹部内に確実ロック方式で嵌まり込む。図３に示されている実施形態では、放出ノズル（１２）及びノズルシール（３０）から成る構成部品は、ノズルホルダ（１３３）及び中央部分（１２３）の接合及び連結によって高圧チャンバ（１００）内に納められる。放出ノズル（１２）は、高圧チャンバ（１００）の下流側クロージャを形成する。中央部分（１２３）がノズルホルダ（１３３）によって密封されると共に液体がノズルホルダ（１３３）のベース部材（１３３ａ）に接触することがないので、放出ノズル（１２）は、中央部分（１２３）及び支持リング（１２６）によって包囲された構成部品と同様、ノズルホルダ（１３３）の第２の材料領域（１３３ｂ）にのみ当接する。ノズルホルダ又はデリケートな微細構造体に用いられた脆弱な材料の場合、これは、挿入の際、ノズルホルダが硬質ベース部材（１３３ａ）よりも軟質である表面に当たり、その結果、例えば取り付け中におけるノズルホルダへの損傷が回避されるという利点を有する。
【００６５】
高圧チャンバ（１００）の強度を決定する構成部品、即ち、中央部分（１２３）、支持リング（１２６）及びノズルホルダ（１３３）の好ましい製造プロセス及びこれら構成部品の取り付け方についての概要を再度以下に示す。
‐金属粉末及び結合材の粒状化混合物の調製
‐射出成形器械のモールド内への溶融状態の粒状化混合物の射出
‐モールドからの粗仕上げ状態の鋳造品の取り出し
‐粗仕上げ状態の鋳造品からの結合材の除去（例えば、熱処理による）
‐粗仕上げ状態の鋳造品の焼結及び焼結金属で作られたそれぞれのベース部材（１２３ａ），（１２６ａ）又は（１３３ａ）の回収
‐プラスチック粒体の調製
‐射出成形器械のモールド内へのベース部材の配置
‐射出成形器械のモールド内への溶融プラスチックの射出
‐モールドからの複合材構成部品（１２３），（１２６）又は（１３３）の取り出し
‐複合材構成部品内への構成部品のオプションとしての配置（例えば、ノズルホルダ（１３３）内への放出ノズル（１２）を備えたノズルシール（３０）の配置、中央部分（１２３）内への微細フィルタ（３１）、予備フィルタ（２７）及びシール（２４）の配置）  ‐高圧チャンバの強度を決定する構成部品の相互接合
‐連結要素の付形による、特に圧着アームの圧着による組み立て状態の構成部品の接合
【００６６】
ＭＩＭプロセスからの構成部品（特に、図３の付形されるべき連結要素、例えば支持リング（１２６ａ）又はノズルホルダ（１３３ａ）を備えた構成部品）のための材料の選択に関し、材料が二次成形又は圧着により強化され、高圧システムの圧縮強度を増大させる金属を選択することが好ましい。この種の金属の多くの例の１つは、独国のメッサース‐シュトラック（Messrs Strack）社から得ることができるステンレス鋼ＵＳ‐ＡＩＳＡ３１７Ｆである。この金属は、外部から熱の追加の入力なしに冷間圧着可能である。
【００６７】
圧着された継手は、永久継手であり、即ち、圧着状態の継手を解除するには、必ず構成部品を損傷させなければならない。圧着継手を確実に開くには、圧着アームを注意深く曲げ戻すのが良いが、最初の圧着中における材料の固化のために、圧着アームを壊さないで曲げ戻すことができる場合であっても、圧着アームをこれらの元の状態に戻すことはできない。圧着継手を開く場合、少なくとも材料の摩耗又は材料の変更を見込まなければならない。
【００６８】
構成部品に対する要求並びに構成部品及びシステムの複雑さに応じて、この製造プロセスを当業者に基本的に知られている方法に従ってほとんど意のままに設計変更することができる。構成部品又はシステムに関する追加の要件をコーティング又は射出コーティング構成部品のための別の１組のプロセスステップが含まれる場合、選択された構成部品に設けられた第３の材料領域によって満たすことができる。
【００６９】
高圧ポンプの強度決定構成部品は、種々のプロセスにより得ることができる。例えば、中央部分（２３）は、全体として要求及び材料費に応じて、全体が高級プラスチック、例えば比較的高価なＰＥＥＫ（ポリエーテルエーテルケトン）から成るのが良い。
【００７０】
強度決定構成部品は、金属又は焼結金属以外の材料から成っていても良い。ＭＩＭプロセスによるベース部材の製造に代えて、中央部分（１２３）は、強度をもたらす引抜き管から成っていても良い。この引抜き管は、射出成形器械中にインサートとして配置されるのが良い。内外に設けられる構造体は、プラスチック射出成形プロセスにおいて引抜き管に成形により取り付けられるのが良い。
【００７１】
本発明の利点は次の通りである。
‐焼結金属から高精度構成部品の経済的な大量生産が行える。
‐構成部品の様々な複雑な形状を追加の製造費なしでほとんど得ることができる。
‐構成部品の輪郭形状内に収納された連結要素及び位置決め補助手段により、構成部品を迅速且つ経済的に組み立てることができる。
‐圧着により互いに接合された構成部品は、最大５０００バールまでの液体圧力に耐えることができる。
‐圧着継手は、これらの位置交差の面でねじ継手よりも破損しにくい。
‐焼結金属構成部品の輪郭形状は、回転対称形状には制限されない。
‐公知の方法によっては加工するのが困難な金属を焼結金属として用いることができる。
‐構成部品の材料に関するあらゆる種類の要求（剛性、頑丈さ、適合性、耐腐食性）を２構成部品型射出成形により満たすことができる。
‐手持ち型器具での使用に適した高圧チャンバのコンパクトな構成が達成される。
‐内部被膜及び高圧チャンバの構成部品のサイズの減少により死空間が制限される。
‐構成部品を高圧チャンバ内で組み立てる際、プラスチックによる被覆によって損傷が回避される。
【００７２】
本発明の高圧チャンバが医療分野で用いられる場合、液体（２）は、好ましくは、医薬製剤である。
【００７３】
幾つかの好ましい化合物又は薬学的に有効な物質、成分及び／又は医薬液体の調合薬が以下に一覧表示されている。所与の範囲の他の液体を含む任意所望の混合物を使用することができる。粉末状物質を水又は所望の溶剤に溶解させることができ又は粉末状物質が懸濁液の形態で存在していても良い。
【００７４】
以下に列記する医薬化合物をこれら自体で又は組合せ状態で本発明の器具に用いることができる。以下に記載する化合物に関し、Ｗは、薬理学的に有効な物質であり、ベータミメティック（Betamimetic）、抗コリン作用薬、コルチコステロイド、ＰＤＥ４‐阻害薬、ＬＴＤ４‐拮抗薬、ＥＧＦＲ‐阻害薬、ドーパミン作用薬、Ｈ１‐抗ヒスタミン薬、ＰＡＦ‐拮抗薬及びＰＩ３‐キナーゼ阻害薬の中から（例示として）選択される。さらに、Ｗの２つの組合せ又は３つの組合せを組み合わせて本発明の器具に用いることができる。Ｗの組合せは、例えば次のようなものが考えられる。
‐Ｗは、抗コリン作用薬、コルチコステロイド、ＰＤＥ４‐阻害薬、ＥＧＦＲ‐阻害薬又はＬＴＤ４‐拮抗薬と組み合わされるベータミメティックを意味する。
‐Ｗは、ベータミメティック、コルチコステロイド、ＰＤＥ４‐阻害薬、ＥＧＦＲ‐阻害薬又はＬＴＤ４‐拮抗薬と組み合わされる抗コリン作用薬を意味する。
‐Ｗは、ＰＤＥ４‐阻害薬、ＥＧＦＲ‐阻害薬又はＬＴＤ４‐拮抗薬と組み合わされるコルチコステロイドを意味する。
‐Ｗは、ＥＧＦＲ‐阻害薬又はＬＴＤ４‐拮抗薬と組み合わされるＰＤＥ４‐阻害薬を意味する。
‐Ｗは、ＬＴＤ４‐拮抗薬と組み合わされるＥＧＦＲ‐阻害薬を意味する。
【００７５】
ベータミメティックとして用いられる化合物は、好ましくは、アルブテロール、アルフォルモテロール、バンブテロール、ビトルテロール、ブロクサテロール、カルブテロール、クレンブテロール、フェノテロール、ホルモテロール、ヘキソプレナリン、イブテロール、イソエタリン、イソプレナリン、レボサルブタモル、マブテロール、メルアドリン、メタプロテレノール、オルチプレナリン、ピルブテロール、プロカテロール、レプロテロール、リミテロール、リトドリン、サルメファモル、サルメテロール、ソテレノール、スルホンテロール、テルブタリン、チアラミド、トルブテロール、ジンテロール、ＣＨＦ‐１０３５、ＨＯＫＵ‐８１、ＫＵＬ‐１２４８、及び
‐３‐（４‐｛６‐［２‐ヒドロキシ‐２‐（４‐ヒドロキシ‐３‐ヒドロキシメチル‐フェニル）‐エチルアミノ］‐ヘキシロキシ｝‐ブチル）‐ベンジル‐スルホナミド、
‐５‐［２‐（５，６‐ジエチル‐インダン‐２‐イルアミノ）‐１‐ヒドロキシ‐エチル］‐８‐ヒドロキシ‐１Ｈ‐キノリン‐２‐オン、
‐４‐ヒドロキシ‐７‐［２‐｛［２‐｛［３‐（２‐フェニルエトキシ）プロピル］スルホニル｝エチル］‐アミノ｝エチル］‐２（３Ｈ）‐ベンゾチアゾロン、
‐１‐（２‐フルオロ‐４‐ヒドロキシフェニル）‐２‐［４‐（１‐ベンジミダゾリル）‐２‐メチル‐２‐ブチルアミノ］エタノール、
‐１‐［３‐（４‐メトキシベンジル‐アミノ）‐４‐ヒドロキシフェニル］‐２‐［４‐（１‐ベンジミダゾリル）‐２‐メチル‐２‐ブチルアミノ］エタノール、
‐１‐［２Ｈ‐５‐ヒドロキシ‐３‐オキソ‐４Ｈ‐１，４‐ベンゾキサジン‐８‐イル］‐２‐［３‐（４‐Ｎ，Ｎ‐ジメチルアミノフェニル）‐２‐メチル‐２‐プロピルアミノ］エタノール、
‐１‐［２Ｈ‐５‐ヒドロキシ‐３‐オキソ‐４Ｈ‐１，４‐ベンゾキサジン‐８‐イル］‐２‐［３‐（４‐メトキシフェニル）‐２‐メチル‐２‐プロピルアミノ］エタノール、
‐１‐［２Ｈ‐５‐ヒドロキシ‐３‐オキソ‐４Ｈ‐１，４‐ベンゾキサジン‐８‐イル］‐２‐［３‐（４‐ｎ‐ブチルオキシフェニル）‐２‐メチル‐２‐プロピルアミノ］エタノール、
‐１‐［２Ｈ‐５‐ヒドロキシ‐３‐オキソ‐４Ｈ‐１，４‐ベンゾキサジン８‐イル］‐２‐｛４‐［３‐（４‐メトキシフェニル）‐１，２，４‐トリアゾル‐３‐イル］‐２‐メチル‐２‐ブチルアミノ｝エタノール、
‐５‐ヒドロキシ‐８‐（１‐ヒドロキシ‐２‐イソプロピルアミノブチル）‐２Ｈ‐１，４‐ベンゾキサジン‐３‐（４Ｈ）‐オン、
‐１‐（４‐アミノ‐３‐クロロ‐５‐トリフルオロメチルフェニル）‐２‐ｔ‐ブチルアミノ）エタノール、
‐６‐ヒドロキシ‐８‐｛１‐ヒドロキシ‐２‐［２‐（４‐メトキシ‐フェニル）‐１，１‐ジメチル‐エチルアミノ］‐エチル｝‐４Ｈ‐ベンゾ［１，４］オキサジン‐３‐オン、
‐６‐ヒドロキシ‐８‐｛１‐ヒドロキシ‐２‐［２‐（エチル４‐フェノキシ‐アセテート）‐１，１‐ジメチル‐エチルアミノ］‐エチル｝‐４Ｈ‐ベンゾ［１，４］オキサジン‐３‐オン、
‐６‐ヒドロキシ‐８‐｛１‐ヒドロキシ‐２‐［２‐（４‐フェノキシ‐酢酸）‐１，１‐ジメチル‐エチルアミノ］‐エチル｝‐４Ｈ‐ベンゾ［１，４］オキサジン‐３‐オン、
‐８‐｛２‐［１，１‐ジメチル‐２‐（２，４，６‐トリメチルフェニル）‐エチルアミノ］‐１‐ヒドロキシ‐エチル｝‐６‐ヒドロキシ‐４Ｈ‐ベンゾ［１，４］オキサジン‐３‐オン、
‐６‐ヒドロキシ‐８‐｛１‐ヒドロキシ‐２‐［２‐（４‐ヒドロキシ‐フェニル）‐１，１‐ジメチル‐エチルアミノ］‐エチル｝‐４Ｈ‐ベンゾ［１，４］オキサジン‐３‐オン、
‐６‐ヒドロキシ‐８‐｛１‐ヒドロキシ‐２‐［２‐（４‐イソプロピル‐フェニル）‐１，１‐ジメチル‐エチルアミノ］‐エチル｝‐４Ｈ‐ベンゾ［１，４］オキサジン‐３‐オン、
‐８‐｛２‐［２‐（４‐エチル‐フェニル）‐１，１‐ジメチル‐エチルアミノ］‐１‐ヒドロキシ‐エチル｝‐６‐ヒドロキシ‐４Ｈ‐ベンゾ［１，４］オキサジン‐３‐オン、
‐８‐｛２‐［２‐（４‐エトキシ‐フェニル）‐１，１‐ジメチル‐エチルアミノ］‐１‐ヒドロキシ‐エチル｝‐６‐ヒドロキシ‐４Ｈ‐ベンゾ［１，４］オキサジン‐３‐オン、
‐４‐（４‐｛２‐［２‐ヒドロキシ‐２‐（６‐ヒドロキシ‐３‐オキソ‐３，４‐ジヒドロ‐２Ｈ‐ベンゾ［１，４］オキサジン‐８‐イル）‐エチルアミノ］‐２‐メチル‐プロピル｝‐フェノキシ）‐酪酸、
‐８‐｛２‐［２‐（３，４‐ジフルオロ‐フェニル）‐１，１‐ジメチル‐エチルアミノ］‐１‐ヒドロキシ‐エチル｝‐６‐ヒドロキシ‐４Ｈ‐ベンゾ［１，４］オキサジン‐３‐オン、
‐１‐（４‐エトキシ‐カルボニルアミノ‐３‐シアノ‐５‐フルオロフェニル）‐２‐（ｔ‐ブチルアミノ）エタノール、
‐２‐ヒドロキシ‐５‐（１‐ヒドロキシ‐２‐｛２‐［４‐（２‐ヒドロキシ‐２‐フェニル‐エチルアミノ）‐フェニル］‐エチルアミノ｝‐エチル）‐ベンズアルデヒド、
‐Ｎ‐［２‐ヒドロキシ‐５‐（１‐ヒドロキシ‐２‐｛２‐［４‐（２‐ヒドロキシ‐２‐フェニル‐エチルアミノ）‐フェニル］‐エチルアミノ｝‐エチル）‐フェニル］‐ホルムアミド、
‐８‐ヒドロキシ‐５‐（１‐ヒドロキシ‐２‐｛２‐［４‐（６‐メトキシ‐ビフェニル‐３‐イルアミノ）‐フェニル］‐エチルアミノ｝‐エチル）‐１Ｈ‐キノリン‐２‐オン、
‐８‐ヒドロキシ‐５‐（１‐ヒドロキシ‐２‐（６‐フェネチルアミノ‐ヘキシルアミノ）‐エチル）‐１Ｈ‐キノリン‐２‐オン、
‐５‐［２‐（２‐｛４‐［４‐（２‐アミノ‐２‐メチル‐プロポキシ）‐フェニルアミノ］‐フェニル｝‐エチルアミノ）‐１‐ヒドロキシ‐エチル］‐８‐ヒドロキシ‐１Ｈ‐キノリン‐２‐オン、
‐［３‐（４‐｛６‐［２‐ヒドロキシ‐２‐（４‐ヒドロキシ‐３‐ヒドロキシメチル‐フェニル）‐エチルアミノ］‐ヘキシルオキシ｝‐ブチル）‐５‐メチル‐フェニル］‐ウレア、
‐４‐（２‐｛６‐［２‐（２，６‐ジクロロ‐ベンジルオキソ）‐エトキシ］‐ヘキシルアミノ｝‐１‐ヒドロキシ‐エチル）‐２‐ヒドロキシメチル‐フェノール、
‐３‐（４‐｛６‐［２‐ヒドロキシ‐２‐（４‐ヒドロキシ‐３‐ヒドロキシメチル‐フェニル）‐エチルアミノ］‐ヘキシルオキシ｝‐ブチル）‐ベンジルスルホンアミド、
‐３‐（３‐｛７‐［２‐ヒドロキシ‐２‐（４‐ヒドロキシ‐３‐ヒドロキシメチル‐フェニル）‐エチルアミノ］‐ヘプチルオキシ｝‐プロピル）‐ベンジルスルホンアミド、
‐４‐（２‐｛６‐［４‐（３‐シクロペンタンスルホニル‐フェニル）‐ブトキシ］‐ヘキシルアミノ｝‐１‐ヒドロキシ‐エチル）‐２‐ヒドロキシメチル‐フェノール、
‐Ｎ‐アダマンタン‐２‐イル‐２‐（３‐｛２‐［２‐ヒドロキシ‐２‐（４‐ヒドロキシ‐３‐ヒドロキシメチル‐フェニル）‐エチルアミノ］‐プロピル｝‐フェニル）‐アセトアミドの中から選択された化合物であり、
オプションとして上記化合物のラセミ化合物、エナンチオマー又はジアステレオマー及びオプションとして上記化合物の薬理学的に容認できる酸添加塩、溶媒化合物又は水和物である。本発明によれば、ベータミメティックの酸添加塩は、好ましくは、ヒドロクロリド（塩酸塩）、ヒドロブロミド（臭化水素酸塩）、ヒドロイオジド（沃化水素酸塩）、ヒドロスルフェート、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ‐ｐ‐トルエンスルホネートの中から選択される。
【００７６】
用いられる抗コリン作用薬は、好ましくは、チオトロピウム塩、好ましくはブロミド塩、オキシトロピウム塩、好ましくはブロミド塩、フルトロピウム塩、好ましくはブロミド塩、イプラトロピウム塩、好ましくはブロミド塩、グリコピロニウム塩、好ましくはブロミド塩、トロスピウム塩、好ましくはクロリド塩、トルテロジンの中から選択された化合物である。上述の塩に関し、陽イオンは、薬理学的に有効な成分である。陰イオンとして、上述の塩は、好ましくは、クロリド、ブロミド、イオジド、スルフェート、ホスフェート、メタンスルホネート、ニトレート、マレエート、アセテート、シトレート、フマレート、タルトレート、オキサレート、スクシネート、ベンゾエート及びｐ‐トルエンスルホネートを含むのが良く、クロリド、ブロミド、イオジド、スルヘート、メタンスルホネート、又はｐ‐トルエンスルホネートが対イオンとして好ましい。全ての塩のうちで、クロリド、ブロミド、イオジド及びメタンスルホネートが特に好ましい。
【００７７】
他の好ましい抗コリン作用薬は、次の化学式ＡＣ‐１、即ち、
【化１】
0005895841.tif 000002
の塩の中から選択され、この化学式において、Ｘ-は、単一の負の電荷を備えた陰イオン、好ましくは、フルオリド、クロリド、ブロミド、イオジド、スルフェート、ホスフェート、メタンスルホネート、ニトレート、マレエート、アセテート、シトレート、フマレート、タルトレート、オキサレート、スクシネート、ベンゾエート及びｐ‐トルエンスルホネートの中から選択された陰イオン、好ましくは、単一の負の電荷を備えた陰イオン、特に好ましくは、フルオリド、クロリド、ブロミド、メタンスルホネート及びｐ‐トルエンスルホネートの中から選択された陰イオン、特に好ましくはブロミドを意味し、オプションとしてこれらのラセミ化合物、エナンチオマー又は水和物を意味している。次の化学式ＡＣ‐１‐ｅｎ、即ち、
【化２】
0005895841.tif 000003
のエナンチオマーを含む薬理学的な組合せが特に重要であり、この化学式において、Ｘ-は、上述の意味を有するのが良い。他の好ましい抗コリン作用薬は、次の化学式ＡＣ‐２、即ち、
【化３】
0005895841.tif 000004
の塩から選択され、この化学式において、Ｒは、メチルかエチルかのいずれかを表し、Ｘ-は、上述の意味を有するのが良い。変形実施形態では、化学式ＡＣ‐２の化合物は、次の自由塩基ＡＣ‐２‐ｂａｓｅ、即ち、
【化４】
0005895841.tif 000005
の形態で存在しても良い。
【００７８】
他の指定される化合物は、次の通りである。
‐トロペノール２，２‐ジフェニルプロピオネートメトブロミド、
‐スコピン２，２‐ジフェニルプロピオネートメトブロミド、
‐スコピン２，２‐フルオロ‐２，２‐ジフェニルアセテートメトブロミド、
‐トロペノール２‐フルオロ‐２，２‐ジフェニルアセテートメトブロミド、
‐トロペノール３，３′，４，４′‐テトラフルオロベンジレートメトブロミド、
‐スコピン３，３′，４，４′‐テトラフルオロベンジレートメトブロミド、
‐トロペノール４，４′‐ジフルオロベンジレートメトブロミド、
‐スコピン４，４′‐ジフルオロベンジレートメトブロミド、
‐トロペノール３，３′‐ジフルオロベンジレートメトブロミド、
‐スコピン３，３′‐ジフルオロベンジレートメトブロミド、
‐トロペノール９‐ヒドロキシ‐フルオレン‐９‐カルボキシレートメトブロミド、
‐トロペノール９‐フルオロ‐フルオレン‐９‐カルボキシレートメトブロミド、
‐スコピン９‐ヒドロキシ‐フルオレン‐９‐カルボキシレートメトブロミド、
‐スコピン９‐フルオロ‐フルオレン‐９‐カルボキシレートメトブロミド、
‐トロペノール９‐メチル‐フルオレン‐９‐カルボキシレートメトブロミド、
‐スコピン９‐メチル‐フルオレン‐９‐カルボキシレートメトブロミド、
‐シクロプロピルトロピンベンジレートメトブロミド、
‐シクロプロピルトロピン２，２‐ジフェニルプロピオネートメトブロミド、
‐シクロプロピルトロピン９‐ヒドロキシ‐キサンテン‐９‐カルボキシレートメトブロミド、
‐シクロプロピルトロピン９‐メチル‐フルオレン‐９‐カルボキシレートメトブロミド、
‐シクロプロピルトロピン９‐メチル‐キサンテン‐９‐カルボキシレートメトブロミド、
‐シクロプロピルトロピン９‐ヒドロキシ‐フルオレン‐９‐カルボキシレートメトブロミド、
‐シクロプロピルトロピンメチル４，４′‐ジフルオロベンジレートメトブロミド、
‐トロペノール９‐ヒドロキシ‐キサンテン‐９‐カルボキシレートメトブロミド、
‐スコピン９‐ヒドロキシ‐キサンテン‐９‐カルボキシレートメトブロミド、
‐トロペノール９‐メチル‐キサンテン‐９‐カルボキシレートメトブロミド、
‐スコピン９‐メチル‐キサンテン‐９‐カルボキシレートメトブロミド、
‐トロペノール９‐エチル‐キサンテン‐９‐カルボキシレートメトブロミド、
‐トロペノール９‐ジフルオロメチル‐キサンテン‐９‐カルボキシレートメトブロミド、
‐スコピン９‐ヒドロキシメチル‐キサンテン‐９‐カルボキシレートメトブロミド。
【００７９】
上述の化合物は、本発明の範囲内で塩としても使用でき、この場合、メトブロミドに代えて、メト‐Ｘ塩が用いられ、この場合、Ｘは、Ｘ-について上述した意味を有するのが良い。
【００８０】
コルチコステロイドとして、ベクロメタソン（beclomethasone）、ベータメタソン（betamethasone）、ブデソニド（budesonide）、ブチキソコルト（butixocorte）、シクレソニド（ciclesonide）、デフラザコルト（deflazacorte）、デキサメタソン（dexamethasone）、エチプレドノル（etiprednole）、フルニソリド（flunisolide）、フルチカソン（fluticasone）、ロテプレドノル（loteprednole）、モメタソン（mometasone）、プレドニソロン（prednisolone）、プレドニソン（prednisone）、ロフレポニド（rofleponide）、トリアムシノロン（triamcinolone）、ＲＰＲ‐１０６５４１、ＮＳ‐１２６、ＳＴ‐２６、及び
‐（Ｓ）‐フルオロメチル  ６，９‐ジフルオロ‐１７‐［（２‐フラニルカルボニル）オキシ］‐１１‐ヒドロキシ‐１６‐メチル‐３‐オキソ‐アンドロスタ‐１，４‐ジエン‐１７‐カルボチオネート、
‐（Ｓ）‐（２‐オキソ‐テトラヒドロ‐フラン‐３Ｓ‐イル）６，９‐ジフルオロ‐１１‐ヒドロキシ‐１６‐メチル‐３‐オキソ‐１７‐プロピオニルオキシ‐アンドロスタ‐１，４‐ジエン‐１７‐カルボチオネート、
‐シアオメチル  ６α，９α‐ジフルオロ‐１１β‐ヒドロキシ‐１６α‐メチル‐３‐オキソ‐１７α‐（２，２，３，３‐テトラメチルシクロプロピルカルボニル）オキシ‐アンドロスタ‐１，４‐ジエン‐１７β‐カルボン酸シアノメチルエステルの中から選択された化合物を用いることが好ましく、
オプションとして上記化合物のラセミ化合物、エナンチオマー又はジアステレオマー及びオプションとして上記化合物の薬理学的に容認できる塩及びその誘導体、溶媒化合物及び（又は）水和物が用いられる。ステロイドと言った場合、これは、存在し得るステロイドの塩又はその誘導体、水和物又は溶媒化合物を含む。考えられるステロイドの塩及びその誘導体の例は、アルカリ金属、例えばナトリウム塩、カリウム塩、スルホベンゾエート、ホスフェート、イソニコチネート、アセテート、ジクロロアセテート、プロピオネート、ジヒドロゲンホスフェート、パルミテート、ピバレート又はフロエートである。
【００８１】
使用できるＰＤＥ４‐阻害薬は、好ましくは、エンプロフィリン、テオフィリン、ロフルミラスト、アリフロ（シロミラスト）、トフィミラスト（tofimilaste）、プマフェントリン（pumafentrine）、リリミラスト（lirimilaste）、アロフィリン（arofylline）、アチゾラム（atizorame）、Ｄ‐４４１８、ベイ（Ｂａｙ）‐１９８００４、ＢＹ３４３、ＣＰ‐３２５．３６６、Ｄ‐４３９６（Ｓｃｈ‐３５１５９１）、ＡＷＤ‐１２‐２８１（ＧＷ‐８４２４７０）、ＮＣＳ‐６１３、ＣＤＰ‐８４０、Ｄ‐４４１８、ＰＤ‐１６８７８７、Ｔ‐４４０、Ｔ２５８５、Ｖ‐１１２９４Ａ、Ｃ１‐１０１８、ＣＤＣ‐８０１、ＣＤＣ‐３０５２、Ｄ‐２２８８８、ＹＭ‐５８９９７、Ｚ‐１５３７０及び、
‐Ｎ‐（３，５‐ジクロロ‐１‐オキソ‐ピリジン‐４‐イル）‐４‐ジフルオロメトキシ‐３‐シクロプロピルメトキシベンザミド、
‐（‐）ｐ‐［（４ａＲ*，１０ｂＳ*）‐９‐エトキシ‐１，２，３，４，４ａ，１０ｂ‐ヘキサヒドロ‐８‐メトキシ‐２‐メチルベンゾ［ｓ］［１，６］ナフチリジン‐６‐イル］‐Ｎ，Ｎ‐ジイソプロピルベンザミド、
‐（Ｒ）‐（＋）‐１‐（４‐ブロモベンジル）‐４‐［（３‐シクロペンチルオキシ）‐４‐メトキシフェニル］‐２‐ピロリドン、
‐３‐（シクロペンチルオキシ‐４‐メトキシフェニル）‐１‐（４‐Ｎ′‐［Ｎ‐２‐シアノ‐Ｓ‐メチル‐イソチオウレイド］ベンジル）‐２‐ピロリドン、
‐シス［４‐シアノ‐４‐（３‐シクロペンチルオキシ‐４‐メトキシフェニル）シクロヘキサン‐１‐カルボン酸］、
‐２‐カルボメトキシ‐４‐シアノ‐４‐（３‐シクロプロピルメトキシ‐４‐ジフルオロメトキシフェニル）シクロヘキサン‐１‐オン、
‐シス［４‐シアノ‐４‐（３‐シクロプロピルメトキシ‐４‐ジフルオロメトキシフェニル）シクロヘキサン‐１‐オル］、
‐（Ｒ）‐（＋）‐エチル［４‐（３‐シクロペンチルオキシ‐４‐メトキシフェニル）ピロリジン‐２‐イリデン］アセテート、
‐（Ｓ）‐（‐）‐エチル［４‐（３‐シクロペンチルオキシ‐４‐メトキシフェニル）ピロリジン‐２‐イリデン］アセテート、
‐９‐シクロペンチル‐５，６‐ジヒドロ‐７‐エチル‐３（２‐チエニル）‐９Ｈ‐ピラゾロ［３，４‐ｃ］‐１，２，４‐トリアゾロ［４，３‐ａ］ピリジン、
‐９‐シクロペンチル‐５，６‐ジヒドロ‐７‐エチル‐３‐（ｔ‐ブチル）‐９Ｈ‐ピラゾロ［３，４‐ｃ］‐１，２，４‐トリアゾロ［４，３‐ａ］ピリジンの中から選択された化合物であり、
オプションとして上記化合物のラセミ化合物、エナンチオマー又はジアステレオマー及びオプションとして上記化合物の薬理学的に容認できる酸添加塩、溶媒化合物及び（又は）水和物である。本発明によれば、ＰＤＥ４阻害薬の酸添加塩は、好ましくは、ヒドロクロリド、ヒドロブロミド、ヒドロイオジド、ヒドロスルフェート、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ‐ｐ‐トルエンスルホネートの中から選択される。
【００８２】
用いられるＬＴＤ４‐拮抗薬は、好ましくは、モンテルカスト、プランルカスト、ザフィルルカスト、ＭＣＣ‐８４７（ＺＤ‐３５２３）、ＭＮ‐００１、ＭＥＮ‐９１５０７（ＬＭ‐１５０７）、ＶＵＦ‐５０７８、ＶＵＦ‐Ｋ‐８７０７、Ｌ‐７３３３２１、及び
‐１‐（（（Ｒ）‐（３‐（２‐（６，７‐ジフルオロ‐２‐キノリニル）エテニル）フェニル）‐３‐（２‐（２‐ヒドロキシ‐２‐プロピル）フェニル）チオ）メチルシクロプロパン‐酢酸、
‐１‐（（（１（Ｒ）‐３（３‐（２‐（２，３‐ジクロロチエノ［３，２‐ｂ］ピリジン‐５‐イル）‐（Ｅ）‐エテニル）フェニル）‐３‐（２‐（１‐ヒドロキシ‐１‐メチレチル）フェニル）プロピル）チオ）メチル）シクロプロパン‐酢酸、
‐［２‐［［２‐（４‐ｔ‐ブチル‐２‐チアゾリル）‐５‐ベンゾフラニル］オキシメチル］フェニル］酢酸の中から選択された化合物であり、
オプションとして上記化合物のラセミ化合物、エナンチオマー又はジアステレオマー及びオプションとして上記化合物の薬理学的に容認できる酸添加塩、溶媒化合物及び（又は）水和物である。本発明によれば、これらの酸添加塩は、好ましくは、ヒドロクロリド、ヒドロブロミド、ヒドロイオジド、ヒドロスルフェート、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ‐ｐ‐トルエンスルホネートの中から選択される。ＬＴＤ４‐拮抗薬がオプションとして形成できる塩又はその誘導体は、例えば、アルカリ金属、例えばナトリウム塩、カリウム塩、スルホベンゾエート、ホスフェート、イソニコチネート、アセテート、ジクロロアセテート、プロピオネート、ジヒドロゲンホスフェート、パルミテート、ピバレート又はフロエートを意味している。
【００８３】
使用できるＥＧＦＲ‐阻害薬は、好ましくは、セツキシマブ（cetuximab ）、トラスツズマブ（trastuzumab ）、ＡＢＸ‐ＥＧＦ、マブ（Ｍａｂ）ＩＣＲ‐６２、及び
‐４‐［（３‐クロロ‐４‐フルオロフェニル）アミノ］‐６‐｛［４‐（モルフォリン‐４‐イル）‐１‐オキソ‐２‐ブテン‐１‐イル］アミノ｝‐７‐シクロプロピルメトキシ‐キナゾリン、
‐４‐［（３‐クロロ‐４‐フルオロフェニル）アミノ］‐６‐｛［４‐（Ｎ，Ｎ‐ジエチルアミノ）‐１‐オキソ‐２‐ブテン‐１‐イル］アミノ｝‐７‐シクロプロピルメトキシ‐キナゾリン、
‐４‐［（３‐クロロ‐４‐フルオロフェニル）アミノ］‐６‐｛［４‐（Ｎ，Ｎ‐ジメチルアミノ）‐１‐オキソ‐２‐ブテン‐１‐イル］アミノ｝‐７‐シクロプロピルメトキシ‐キナゾリン、
‐４‐［（Ｒ）‐（１‐フェニル‐エチル）アミノ］‐６‐｛［４‐（モルフォリン‐４‐イル）‐１‐オキソ‐２‐ブテン‐１‐イル］アミノ｝‐７‐シクロペンチルオキシ‐キナゾリン、
‐４‐［（３‐クロロ‐４‐フルオロ‐フェニル）アミノ］‐６‐｛（（Ｒ）‐６‐メチル‐２‐オキソ‐モルフォリン‐４‐イル）‐１‐オキソ‐２‐ブテン‐１‐イル］アミノ｝‐７‐シクロプロピルメトキシ‐キナゾリン、
‐４‐［（３‐クロロ‐４‐フルオロ‐フェニル）アミノ］‐６‐｛［４‐（（Ｒ）‐６‐メチル‐２‐オキソ‐モルフォリン‐４‐イル）‐１‐オキソ‐２‐ブテン‐１‐イル］アミノ｝‐７‐［（Ｓ）‐（テトラヒドロフラン‐３‐イル）オキシ］‐キナゾリン、
‐４‐［（３‐クロロ‐４‐フルオロ‐フェニル）アミノ］‐６‐｛［４‐（（Ｒ）‐２‐メトキシメチル‐６‐オキソ‐モルフォリン‐４‐イル）‐１‐オキソ‐２‐ブテン‐１‐イル］アミノ｝‐７‐シクロプロピルメトキシ‐キナゾリン、
‐４‐［（３‐クロロ‐４‐フルオロ‐フェニル）アミノ］‐６‐［２‐（（Ｓ）‐６‐メチル‐２‐オキソ‐モルフォリン‐４‐イル）‐エトキシ］‐７‐メトキシ‐キナゾリン、
‐４‐［（３‐クロロ‐４‐フルオロフェニル）アミノ］‐６‐（｛４‐［Ｎ‐（２‐メトキシ‐エチル）‐Ｎ‐メチル‐アミノ］‐１‐オキソ‐２‐ブテン‐１‐イル］アミノ）‐７‐シクロプロピルメトキシ‐キナゾリン、
‐４‐［（３‐クロロ‐４‐フルオロフェニル）アミノ］‐６‐（｛４‐［Ｎ，Ｎ‐ジメチルアミノ］‐１‐オキソ‐２‐ブテン‐１‐イル｝アミノ）‐７‐シクロペンチルオキシ‐キナゾリン、
‐４‐［（Ｒ）‐（１‐フェニル‐エチル）アミノ］‐６‐（｛４‐［Ｎ，Ｎ‐ビス（‐（２‐メトキシ‐エチル）‐アミノ）‐１‐オキソ‐２‐ブテン‐１‐イル］アミノ｝‐７‐シクロプロピルメトキシ‐キナゾリン、
‐４‐［（Ｒ）‐（１‐フェニル‐エチル）アミノ］‐６‐（｛４‐［Ｎ‐（２‐メトキシ‐エチル）‐Ｎ‐メチル‐アミノ］‐１‐オキソ‐２‐ブテン‐１‐イル｝アミノ）‐７‐シクロプロピルメトキシ‐キナゾリン、
‐４‐［（Ｒ）‐（１‐フェニル‐エチル）アミノ］‐６‐（｛４‐［Ｎ‐（２‐メトキシ‐エチル）‐Ｎ‐メチル‐アミノ）‐１‐オキソ‐２‐ブテン‐１‐イル｝アミノ）‐７‐シクロプロピルメトキシ‐キナゾリン、
‐４‐［（Ｒ）‐（１‐フェニル‐エチル）アミノ］‐６‐（｛４‐［Ｎ‐（テトラヒドロピラン‐４‐イル）‐Ｎ‐メチル‐アミノ］‐１‐オキソ‐２‐ブテン‐１‐イル｝アミノ）‐７‐シクロプロピルメトキシ‐キナゾリン、
‐４‐［（３‐クロロ‐４‐フルオロフェニル）アミノ］‐６‐（｛４‐［Ｎ，Ｎ‐ジメチルアミノ］‐１‐オキソ‐２‐ブテン‐１‐イル］アミノ｝‐７‐（（Ｒ）‐テトラヒドロフラン‐３‐イルオキシ］‐キナゾリン、
‐４‐［（３‐クロロ‐４‐フルオロフェニル）アミノ］‐６‐（｛４‐［Ｎ，Ｎ‐ジメチルアミノ］‐１‐オキソ‐２‐ブテン‐１‐イル］アミノ｝‐７‐（（Ｓ）‐テトラヒドロフラン‐３‐イルオキシ］‐キナゾリン、
‐４‐［（３‐クロロ‐４‐フルオロフェニル）アミノ］‐６‐（｛４‐［Ｎ‐（２‐メトキシ‐エチル）‐Ｎ‐メチル‐アミノ］‐１‐オキソ‐２‐ブテン‐１‐イル｝アミノ）‐７‐シクロペンチルオキシ‐キナゾリン、
‐４‐［（３‐クロロ‐４‐フルオロフェニル）アミノ］‐６‐（｛４‐（Ｎ‐シクロプロピル‐Ｎ‐メチル‐アミノ）‐１‐オキソ‐２‐ブテン‐１‐イル］アミノ｝‐７‐シクロペンチルロキシ‐キナゾリン、
‐４‐［（３‐クロロ‐４‐フルオロフェニル）アミノ］‐６‐｛［４‐（Ｎ，Ｎ‐ジメチルアミノ）‐１‐オキソ‐２‐ブテン‐１‐イル］アミノ｝‐７‐［（Ｒ）‐（テトラヒドロフラン‐２‐イル）メトキシ］‐キナゾリン、
‐４‐［（３‐クロロ‐４‐フルオロフェニル）アミノ］‐６‐｛［４‐（Ｎ，Ｎ‐ジメチルアミノ）‐１‐オキソ‐２‐ブテン‐１‐イル］アミノ｝‐７‐［（Ｓ）‐（テトラヒドロフラン‐２‐イル）メトキシ］‐キナゾリン、
‐４‐［（３‐エチニル‐フェニル）アミノ］‐６，７‐ビス‐（２‐メトキシ‐エトキシ）‐キナゾリン、
‐４‐［（３‐クロロ‐４‐フルオロフェニル）アミノ］‐７‐モルフォリン‐４‐イル）‐プロピルオキシ］‐６‐［ビニルカルボニル）アミノ］キナゾリン、
‐４‐［（Ｒ）‐（１‐フェニル‐エチル）アミノ］‐６‐（４‐ヒドロキシ‐フェニル）‐７Ｈ‐ピロロ［２，３‐ｄ］ピリミジン、
‐３‐シアノ‐４‐［（３‐クロロ‐４‐フルオロフェニル）アミノ］‐６‐｛［４‐（Ｎ，Ｎ‐ジメチルアミノ）‐１‐オキソ‐２‐ブテン‐１‐イル］アミノ｝‐７‐エトキシ‐キノリン、
‐４‐｛［（３‐クロロ‐４‐（３‐フルオロ‐ベンジルオキシ）‐フェニル］アミノ｝‐６‐（５‐｛［２‐メタンスルホニル‐エチル）アミノ］メチル｝‐フラン‐２‐イル）キナゾリン、
‐４‐［（Ｒ）‐（１‐フェニル‐エチル）アミノ］‐６‐｛［４‐（（Ｒ）‐６‐メチル‐２‐オキソ‐モルフォリン‐４‐イル）‐１‐オキソ‐２‐ブテン‐１‐イル］アミノ｝‐７‐メトキシ‐キナゾリン、
‐４‐［（３‐クロロ‐４‐フルオロフェニル）アミノ］‐６‐｛［４‐（モルフォリン‐４‐イル）‐１‐オキソ‐２‐ブテン‐１‐イル］アミノ｝‐７‐［（テトラヒドロフラン‐２‐イル）メトキシ］‐キナゾリン、
‐４‐［（３‐クロロ‐４‐フルオロフェニル）アミノ］‐６‐（｛４‐［Ｎ，Ｎ‐ビス‐（２‐メトキシ‐エチル）‐アミノ］‐１‐オキソ‐２‐ブテン‐１‐イル｝アミノ）‐７‐［テトラヒドロフラン‐２‐イル）メトキシ］‐キナゾリン、
‐４‐［（３‐エチニル‐フェニル）アミノ］‐６‐｛［４‐（５，５‐ジメチル‐２‐オキソ‐モルフォリン‐４‐イル）‐１‐オキソ‐２‐ブテン‐１‐イル］アミノ｝‐キナゾリン、
‐４‐［（３‐クロロ‐４‐フルオロ‐フェニル）アミノ］‐６‐［２‐（２，２‐ジメチル‐６‐オキソ‐モルフォリン‐４‐イル）エトキシ］‐７‐メトキシ‐キナゾリン、
‐４‐［（３‐クロロ‐４‐フルオロ‐フェニル）アミノ］‐６‐［２‐（２，２‐ジメチル‐６‐オキソ‐モルフォリン‐４‐イル）エトキシ］‐７‐［（Ｒ）‐（テトラヒドロフラン‐２‐イル）メトキシ］‐キナゾリン、
‐４‐［（３‐クロロ‐４‐フルオロ‐フェニル）アミノ］‐７‐［２‐（２，２‐ジメチル‐６‐オキソ‐モルフォリン‐４‐イル）エトキシ］‐６‐［（Ｓ）‐（テトラヒドロフラン‐２‐イル）メトキシ］‐キナゾリン、
‐４‐［（３‐クロロ‐４‐フルオロ‐フェニル）アミノ］‐６‐｛２‐［４‐（２‐オキソ‐モルフォリン‐４‐イル）‐ピペリジン‐１‐イル］‐エトキシ｝‐７‐メトキシ‐キナゾリン、
‐４‐［（３‐クロロ‐４‐フルオロ‐フェニル）アミノ］‐６‐［１‐（ｔ‐ブチルオキシカルボニル）‐ピペリジン‐４‐イルオキシ］‐７‐メトキシ‐キナゾリン、
‐４‐［（３‐クロロ‐４‐フルオロ‐フェニル）アミノ］‐６‐（トランス‐４‐アミノ‐シクロヘキサン‐１‐イルオキシ）‐７‐メトキシ‐キナゾリン、
‐４‐［（３‐クロロ‐４‐フルオロ‐フェニル）アミノ］‐６‐（トランス‐４‐メタンスルホニルアミノ‐シクロヘキサン‐１‐イルオキシ）‐７‐メトキシ‐キナゾリン、
‐４‐［（３‐クロロ‐４‐フルオロ‐フェニル）アミノ］‐６‐（テトラヒドロピラン‐３‐イルオキシ）‐７‐メトキシ‐キナゾリン、
‐４‐［（３‐クロロ‐４‐フルオロ‐フェニル）アミノ］‐６‐（１‐メチル‐ピペリジン‐４‐イルオキシ］‐７‐メトキシ‐キナゾリン、
‐４‐［（３‐クロロ‐４‐フルオロ‐フェニル）アミノ］‐６‐｛１‐［（モルフォリン‐４‐イル）カルボニル］‐ピペリジン‐４‐イルオキシ｝‐７‐メトキシ‐キナゾリン、
‐４‐［（３‐クロロ‐４‐フルオロ‐フェニル）アミノ］‐６‐｛１‐［（メトキシメチル）カルボニル］‐ピペリジン‐４‐イルオキシ｝‐７‐メトキシ‐キナゾリン、
‐４‐［（３‐クロロ‐４‐フルオロ‐フェニル）アミノ］‐６‐（ピペリジン‐３‐イルオキシ）‐７‐メトキシ‐キナゾリン、
‐４‐［（３‐クロロ‐４‐フルオロ‐フェニル）アミノ］‐６‐［１‐（２‐アセチルアミノ‐エチル）‐ピペリジン‐４‐イルオキシ］‐７‐メトキシ‐キナゾリン、
‐４‐［（３‐クロロ‐４‐フルオロ‐フェニル）アミノ］‐６‐（テトラヒドロピラン‐４‐イルオキシ）‐７‐エトキシ‐キナゾリン、
‐４‐［（３‐クロロ‐４‐フルオロ‐フェニル）アミノ］‐６‐（（Ｓ）‐テトラヒドロピラン‐３‐イルオキシ）‐７‐ヒドロキシ‐キナゾリン、
‐４‐［（３‐クロロ‐４‐フルオロ‐フェニル）アミノ］‐６‐（テトラヒドロピラン‐４‐イルオキシ）‐７‐（２‐メトキシ‐エトキシ）‐キナゾリン、
‐４‐［（３‐クロロ‐４‐フルオロ‐フェニル）アミノ］‐６‐｛トランス‐４［（ジメチルアミノ）スルホニルアミノ］‐シクロヘキサン‐１‐イルオキシ｝‐７‐メトキシ‐キナゾリン、
‐４‐［（３‐クロロ‐４‐フルオロ‐フェニル）アミノ］‐６‐｛トランス‐４‐［（モルフォリン‐４‐イル）カルボニルアミノ］‐シクロヘキサン‐１‐イルオキシ｝‐７‐メトキシ‐キナゾリン、
‐４‐［（３‐クロロ‐４‐フルオロ‐フェニル）アミノ］‐６‐｛トランス‐４‐［（モルフォリン‐４‐イル）スルホニルアミノ］‐シクロヘキサン‐１‐イルオキシ｝‐７‐メトキシ‐キナゾリン、
‐４‐［（３‐クロロ‐４‐フルオロ‐フェニル）アミノ］‐６‐（テトラヒドロピラン‐４‐イルオキシ）‐７‐（２‐アセチルアミノ‐エトキシ）‐キナゾリン、
‐４‐［（３‐クロロ‐４‐フルオロ‐フェニル）アミノ］‐６‐（テトラヒドロフラン‐４‐イルオキシ）‐７‐（２‐メタンスルホニルアミノ‐エトキシ）‐キナゾリン、
‐４‐［（３‐クロロ‐４‐フルオロ‐フェニル）アミノ］‐６‐｛１‐［（ピペリジン‐１‐イル）カルボニル］‐ピペリジン‐４‐イルオキシ｝‐７‐メトキシ‐キナゾリン、
‐４‐［（３‐クロロ‐４‐フルオロ‐フェニル）アミノ］‐６‐（１‐アミノカルボニルメチル‐ピペリジン‐４‐イルオキシ）‐７‐メトキシ‐キナゾリン、
‐４‐［（３‐クロロ‐４‐フルオロ‐フェニル）アミノ］‐６‐（シス‐４‐｛Ｎ［（テトラヒドロピラン‐４‐イル）カルボニル］‐Ｎ‐メチル‐アミノ｝‐シクロヘキサン‐１‐イルオキシ）‐７‐メトキシ‐キナゾリン、
‐４‐［（３‐クロロ‐４‐フルオロ‐フェニル）アミノ］‐６‐（シス‐４‐｛Ｎ‐［（モルフォリン‐４‐イル）カルボニル］‐Ｎ‐メチル‐アミノ｝‐シクロヘキサン‐１‐イルオキシ）‐７‐メトキシ‐キナゾリン、
‐４‐［（３‐クロロ‐４‐フルオロ‐フェニル）アミノ］‐６‐（シス‐４‐｛Ｎ‐［（モルフォリン‐４‐イル）スルホニル］‐Ｎ‐メチル‐アミノ｝‐シクロヘキサン‐１‐イルオキシ）‐７‐メトキシ‐キナゾリン、
‐４‐［（３‐クロロ‐４‐フルオロ‐フェニル）アミノ］‐６‐（トランス‐４‐エタンスルホニルアミノ‐シクロヘキサン‐１‐イルオキシ）‐７‐メトキシ‐キナゾリン、
‐４‐［（３‐クロロ‐４‐フルオロ‐フェニル）アミノ］‐６‐（１‐メタンスルホニル‐ピペリジン‐４‐イルオキシ｝‐７‐エトキシ‐キナゾリン、
‐４‐［（３‐クロロ‐４‐フルオロ‐フェニル）アミノ］‐６‐（１‐メタンスルホニル‐ピペリジン‐４‐イルオキシ）‐７‐（２‐メトキシ‐エトキシ）‐キナゾリン、
‐４‐［（３‐クロロ‐４‐フルオロ‐フェニル）アミノ］‐６‐［１‐（２‐メトキシ‐アセチル）‐ピペリジン‐４‐イルオキシ］‐７‐（２‐メトキシ‐エトキシ）‐キナゾリン、
‐４‐［（３‐クロロ‐４‐フルオロ‐フェニル）アミノ］‐６‐（シス‐４‐アセチルアミノ‐シクロヘキサン‐１‐イルオキシ］‐７‐メトキシ‐キナゾリン、
‐４‐［（３‐エチニル‐４‐フェニル）アミノ］‐６‐［１‐（ｔ‐ブチルオキシカルボニル）‐ピペリジン‐４‐イルオキシ］‐７‐メトキシ‐キナゾリン、
‐４‐［（３‐エチニル‐フェニル）アミノ］‐６‐（テトラヒドロピラン‐４‐イルオキシ］‐７‐メトキシ‐キナゾリン、
‐４‐［（３‐クロロ‐４‐フルオロ‐フェニル）アミノ］‐６‐（シス‐４‐｛Ｎ‐［（ピペリジン‐１‐イル）カルボニル］‐Ｎ‐メチル‐アミノ｝‐シクロヘキサン‐１‐イルオキシ）‐７‐メトキシ‐キナゾリン、
‐４‐［（３‐クロロ‐４‐フルオロ‐フェニル）アミノ］‐６‐（シス‐４‐｛Ｎ‐［（４‐メチル‐ピペリジン‐１‐イル）カルボニル］‐Ｎ‐メチル‐アミノ｝‐シクロヘキサン‐１‐イルオキシ）‐７‐メトキシ‐キナゾリン、
‐４‐［（３‐クロロ‐４‐フルオロ‐フェニル）アミノ］‐６‐｛シス‐４‐［（モルフォリン‐４‐イル）カルボニルアミノ］‐シクロヘキサン‐１‐イルオキシ｝‐７‐メトキシ‐キナゾリン、
‐４‐［（３‐クロロ‐４‐フルオロ‐フェニル）アミノ］‐６‐｛１‐［２‐（２‐オキソピロリジン‐１‐イル）エチル］‐ピペリジン‐４‐イルオキシ｝‐７‐メトキシ‐キナゾリン、
‐４‐［（３‐クロロ‐４‐フルオロ‐フェニル）アミノ］‐６‐｛１‐［（モルフォリン‐４‐イル）カルボニル］‐ピペリジン‐４‐イルオキシ｝‐７‐（２‐メトキシ‐エトキシ）‐キナゾリン、
‐４‐［（３‐エチニル‐フェニル）アミノ］‐６‐（１‐アセチル‐ピペリジン‐４‐イルオキシ）‐７‐メトキシ‐キナゾリン、
‐４‐［（３‐エチニル‐フェニル）アミノ］‐６‐（１‐メチル‐ピペリジン‐４‐イルオキシ）‐７‐メトキシ‐キナゾリン、
‐４‐［（３‐エチニル‐フェニル）アミノ］‐６‐（１‐メタンスルホニル‐ピペリジン‐４‐イルオキシ）‐７‐メトキシ‐キナゾリン、
‐４‐［（３‐クロロ‐４‐フルオロ‐フェニル）アミノ］‐６‐（１‐メチル‐ピペリジン‐４‐イルオキシ）‐７（２‐メトキシ‐エトキシ）‐キナゾリン、
‐４‐［（３‐クロロ‐４‐フルオロ‐フェニル）アミノ］‐６‐（１‐イソプロピルオキシカルボニル‐ピペリジン‐４‐イルオキシ）‐７‐メトキシ‐キナゾリン、
‐４‐［（３‐クロロ‐４‐フルオロ‐フェニル）アミノ］‐６‐（シス‐４‐メチルアミノ‐シクロヘキサン‐１‐イルオキシ）‐７‐メトキシ‐キナゾリン、
‐４‐［（３‐クロロ‐４‐フルオロ‐フェニル）アミノ］‐６‐（シス‐４‐［Ｎ‐（２‐メトキシ‐アセチル）‐Ｎ‐メチル‐アミノ］‐シクロヘキサン‐１‐イルオキシ｝‐７‐メトキシ‐キナゾリン、
‐４‐［（３‐エチニル‐フェニル）アミノ］‐６‐（ピペリジン‐４‐イルオキシ）‐７‐メトキシ‐キナゾリン、
‐４‐［（３‐エチニル‐フェニル）アミノ］‐６‐［１‐（２‐メトキシ‐アセチル）‐ピペリジン‐４‐イルオキシ）‐７‐メトキシ‐キナゾリン、
‐４‐［（３‐エチニル‐フェニル）アミノ］‐６‐｛１‐［（モルフォリン‐４‐イル）カルボニル］‐ピペリジン‐４‐イルオキシ｝‐７‐メトキシ‐キナゾリン、
‐４‐［（３‐クロロ‐４‐フルオロ‐フェニル）アミノ］‐６‐｛１‐［（シス‐２，６‐ジメチル‐モルフォリン‐４‐イル）カルボニル］‐ピペリジン‐４‐イルオキシ｝‐７‐メトキシ‐キナゾリン、
‐４‐［（３‐クロロ‐４‐フルオロ‐フェニル）アミノ］‐６‐｛１‐［（２‐メチル‐モルフォリン‐４‐イル）カルボニル］‐ピペリジン‐４‐イルオキシ｝‐７‐メトキシ‐キナゾリン、
‐４‐［（３‐クロロ‐４‐フルオロ‐フェニル）アミノ］‐６‐｛１‐［（Ｓ，Ｓ）‐（２‐オキサ‐５‐アザ‐ビシクロ［２．２．１］ヘプト‐５‐イル）カルボニル］‐ピペリジン‐４‐イルオキシ｝‐７‐メトキシ‐キナゾリン、
‐４‐［（３‐クロロ‐４‐フルオロ‐フェニル）アミノ］‐６‐｛１‐［Ｎ‐メチル‐Ｎ‐２‐メトキシエチル‐アミノ］カルボニル］‐ピペリジン‐４‐イルオキシ｝‐７‐メトキシ‐キナゾリン、
‐４‐［（３‐クロロ‐４‐フルオロ‐フェニル）アミノ］‐６‐（１‐エチル‐ピペリジン‐４‐イルオキシ）‐７‐メトキシ‐キナゾリン、
‐４‐［（３‐クロロ‐４‐フルオロ‐フェニル）アミノ］‐６‐｛１‐［（２‐メトキシエチル）カルボニル］‐ピペリジン‐４‐イルオキシ｝‐７‐メトキシ‐キナゾリン、
‐４‐［（３‐クロロ‐４‐フルオロ‐フェニル）アミノ］‐６‐｛１‐［（３‐メトキシプロピル‐アミノ）‐カルボニル］‐ピペリジン‐４‐イルオキシ｝‐７‐メトキシ‐キナゾリン、
‐４‐［（３‐クロロ‐４‐フルオロ‐フェニル）アミノ］‐６‐［シス‐４‐（Ｎ‐メタンスルホニル‐Ｎ‐メチル‐アミノ）‐シクロヘキサン‐１‐イルオキシ］‐７‐メトキシ‐キナゾリン、
‐４‐［（３‐クロロ‐４‐フルオロ‐フェニル）アミノ］‐６‐［シス‐４‐（Ｎ‐アセチル‐Ｎ‐メチル‐アミノ）‐シクロヘキサン‐１‐イルオキシ］‐７‐メトキシ‐キナゾリン、
‐４‐［（３‐クロロ‐４‐フルオロ‐フェニル）アミノ］‐６‐（トランス‐４‐メチルアミノ‐シクロヘキサン‐１‐イルオキシ）‐７‐メトキシ‐キナゾリン、
‐４‐［（３‐クロロ‐４‐フルオロ‐フェニル）アミノ］‐６‐［トランス‐４‐（Ｎ‐メタンスルホニル‐Ｎ‐メチル‐アミノ）‐シクロヘキサン‐１‐イルオキシ］‐７‐メトキシ‐キナゾリン、
‐４‐［（３‐クロロ‐４‐フルオロ‐フェニル）アミノ］‐６‐（トランス‐４‐ジメチルアミノ‐シクロヘキサン‐１‐イルオキシ）‐７‐メトキシ‐キナゾリン、
‐４‐［（３‐クロロ‐４‐フルオロ‐フェニル）アミノ］‐６‐（トランス‐４‐｛Ｎ‐［（モルフォリン‐４‐イル）カルボニル］‐Ｎ‐メチル‐アミノ｝‐シクロヘキサン‐１‐イルオキシ）‐７‐メトキシ‐キナゾリン、
‐４‐［（３‐クロロ‐４‐フルオロ‐フェニル）アミノ］‐６‐［２‐（２，２‐ジメチル‐６‐オキソ‐モルフォリン‐４‐イル）‐エトキシ］‐７‐［（Ｓ）‐（テトラヒドロフラン‐２‐イル）メトキシ］‐キナゾリン、
‐４‐［（３‐クロロ‐４‐フルオロ‐フェニル）アミノ］‐６‐（１‐メタンスルホニル‐ピペリジン‐４‐イルオキシ）‐７‐メトキシ‐キナゾリン、
‐４‐［（３‐クロロ‐４‐フルオロ‐フェニル）アミノ］‐６‐（１‐シアノ‐ピペリジン‐４‐イルオキシ）‐７‐メトキシ‐キナゾリンの中から選択された化合物であり、
オプションとして上記化合物のラセミ化合物、エナンチオマー又はジアステレオマー及びオプションとして上記化合物の薬理学的に容認できる酸添加塩、溶媒化合物又は水和物である。本発明によれば、これらの酸添加塩は、好ましくは、ヒドロクロリド、ヒドロブロミド、ヒドロイオジド、ヒドロスルフェート、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ‐ｐ‐トルエンスルホネートの中から選択される。
【００８４】
用いられるドーパミン作用薬は、好ましくは、ブロモクリプチン（bromocriptine）、カベルゴリン（cabergoline）、アルファ‐ジヒドロエルゴクリプチン（alpha ‐dihydroergocryptine）、リスリド（lisuride）、ペルゴリド（pergolide）、プラミペクソール（pramipexole）、ロキシンドール（roxindole）、ロピニロール（ropinirole）、タリペクソール（talipexole）、テルグリド（terguride）、ビオザン（viozane）の中から選択された化合物であり、オプションとして上記化合物のラセミ化合物、エナンチオマー、ジアステレオマー及びオプションとして上記化合物の薬理学的に容認できる酸添加塩、溶媒化合物又は水和物である。本発明によれば、これらの酸添加塩は、好ましくは、ヒドロクロリド、ヒドロブロミド、ヒドロイオジド、ヒドロスルフェート、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ‐ｐ‐トルエンスルホネートの中から選択される。
【００８５】
使用できるＨ１‐抗ヒスタミン薬は、好ましくは、エピナスチン（epinastine）、セチリジン（cetirizine）、アゼラスチン（azelastine）、フェクソフェンダジン（fexofenadine）、レボカバスチン（levocabastine）、ロラタジン（loratadine）、ミゾラスチン（mizolastine）、ケトチフェン（ketotifene）、エメダスチン（emedastine）、ジメチンデン（dimetindene）、クレマスチン（clemastine）、バミピン（bamipine）、セクスクロルフェニラミン（cexchlorpheniramine）、フェニラミン（pheniramine）、ドキシルアミン（doxylamine）、クロロフェノキサミン（chlorophenoxamine ）、ジメンヒドリネート（dimenhydrinate）、ジフェンヒドラミン（diphenhydramine）、プロメタジン（promethazine）、エバスチン（ebastine）、デスロラチジン（desloratidine）、メクロジン（meclozine）の中から選択された化合物であり、オプションとして上記化合物のラセミ化合物、エナンチオマー、ジアステレオマー及びオプションとして上記化合物の薬理学的に容認できる酸添加塩、溶媒化合物又は水和物である。本発明によれば、これらの酸添加塩は、好ましくは、ヒドロクロリド、ヒドロブロミド、ヒドロイオジド、ヒドロスルフェート、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ‐ｐ‐トルエンスルホネートの中から選択される。
【００８６】
また、欧州特許出願公開第１，００３，４７８（Ａ１）号明細書及びカナダ国特許出願公開第２２９７１７４（Ａ１）号明細書に開示されている吸入可能な高分子を使用することが可能である。
【００８７】
さらに、化合物は、バッカク（麦角）アルカロイド誘導体、トリプタン、ＣＧＲＰ‐拮抗薬、ホスホジエストラーゼ‐Ｖ阻害薬から成る群に由来するものであるのが良く、オプションとしてこれら化合物のラセミ化合物、エナンチオマー又はジアステレオマー及びオプションとして上記化合物の薬理学的に容認できる酸添加塩、溶媒化合物及び（又は）水和物である。
【００８８】
バッカクアルカロイド誘導体の例は、ジヒドロエルゴタミン及びエルゴタミンである。
【符号の説明】
【００８９】
１  ネブライザ
２  液体
３  容器
４  袋
５  圧力発生器
６  ホルダ
７  駆動ばね
８  ロック要素
９  中空ピストン
１０  逆止弁
１１  圧力チャンバ
１２  放出ノズル
１２ａ  プレート
１２ｂ  プレート
１３  マウスピース
１４  エーロゾル
１５  給気開口部
１６  上側ハウジング部品
１７  内側ハウジング部品
１８  下側ハウジング部品
１９  保持要素
２０  ばね（下側ハウジング部品のばね）
２１  容器ベース
２２  穿通要素
２３  中央部分
２４  シール
２５  支持リング
２６  止めナット
２７  予備ナット
２８  フィルタホルダ
２９  シール
３０  ノズルシール
３１  微細フィルタ
３２  ノズルホルダ
３３  止めナット
３４  貫通穴
３５  スペーサ
１００  高圧チャンバ
１２３  中央部分
１２３ａ  ベース部材
１２３ｂ  第２の材料領域
１２３ｃ  連結リング
１２３ｄ  ばねアーム
１２６  支持リング
１２６ａ  ベース部材
１２６ｂ  第２の材料領域
１２６ｃ  連結要素
１３３  ノズルホルダ
１３３ａ  ベース部材
１３３ｂ  第２の材料領域
１３３ｃ  連結要素
１３３ｄ  フローチャネル
１３３ｅ  ノズルホルダ上への位置決め補助手段
【図１】
0005895841.tif 000006
【図２】
0005895841.tif 000007
【図３】
0005895841.tif 000008
【図４ａ】
0005895841.tif 000009
【図４ｂ】
0005895841.tif 000010
【図５】
0005895841.tif 000011